(57)【要約】      （修正有）【課題】記録媒体に記録された高ダイナミックレンジ映像を含む映像データの再生方法、再生装置およびプログラムを更に改善する。【解決手段】ホームシアターシステムにおいて、記録媒体には、映像の輝度のダイナミックレンジがＨＤＲに対応したＨＤＲストリームと、映像の輝度のダイナミックレンジがＨＤＲよりも狭いＳＤＲに対応したＳＤＲストリームとの少なくとも１つを含む映像ストリームと、映像ストリームにＨＤＲストリームが含まれている否かを示す識別情報と、が記録されている。再生方法では、記録媒体から識別情報を読み出し、再生装置がＨＤＲストリームを再生できるか否かを示す再生能力情報と、再生装置に接続されている表示装置がＨＤＲの映像を表示できるか否かを示す表示能力情報とを取得し、読み出した識別情報と、取得した再生能力情報および表示能力情報とに応じて、映像ストリームの中から再生する映像ストリームを決定する。【選択図】図２２
2020022179.tif 000002
【特許請求の範囲】
【請求項１】
記録媒体に記録された映像ストリームを再生する再生装置による再生方法であって、
前記記録媒体には、
映像の輝度のダイナミックレンジが高ダイナミックレンジ（ＨＤＲ）に対応したＨＤＲストリームと、映像の輝度のダイナミックレンジがＨＤＲよりも狭い標準ダイナミックレンジ（ＳＤＲ）に対応したＳＤＲストリームとの少なくとも１つを含む映像ストリームと、
前記映像ストリームに前記ＨＤＲストリームが含まれているか否かを示す識別情報と、が記録されており、
前記再生方法は、
前記記録媒体から前記識別情報を読み出し、
前記再生装置が前記ＨＤＲストリームを再生できるか否かを示す再生能力情報と、前記再生装置に接続されている表示装置がＨＤＲの映像を表示できるか否かを示す表示能力情報とを取得し、
読み出した前記識別情報と、取得した前記再生能力情報および前記表示能力情報とに応じて、前記映像ストリームの中から再生する映像ストリームを決定し、
決定した前記映像ストリームを再生し、
前記再生により得られた再生信号を前記表示装置に出力する
再生方法であって、
前記識別情報は、当該映像ストリームに第１のＨＤＲストリームが含まれているか否か、および、当該映像ストリームに第２のＨＤＲストリームが含まれているか否かを示し、
前記決定では、前記識別情報が、前記映像ストリームに前記第１のＨＤＲストリームおよび前記第２のＨＤＲストリームが含まれていることを示している場合であり、
前記再生能力情報が前記第１のＨＤＲストリームを再生できることを示し、かつ、前記表示能力情報が前記第１のＨＤＲストリームの映像を表示できることを示すときであって、前記再生能力情報が前記第２のＨＤＲストリームを再生できないことを示すか、または、前記表示能力情報が前記第２のＨＤＲストリームの映像を表示できないことを示すとき、前記識別情報により前記第１のＨＤＲストリームであることが示されている映像ストリームを、前記再生する映像ストリームとして決定する
再生方法。
【請求項２】
前記第２のＨＤＲストリームは、前記第１のＨＤＲストリームよりも予め定められた優先度が高い映像ストリームである
請求項１に記載の再生方法。
【請求項３】
請求項１又は２に記載の再生方法をコンピュータに実行させるためのプログラム。
【請求項４】
記録媒体に記録された映像ストリームを再生する再生装置であって、
前記記録媒体には、
映像の輝度のダイナミックレンジが高ダイナミックレンジ（ＨＤＲ）に対応したＨＤＲストリームと、映像の輝度のダイナミックレンジがＨＤＲよりも狭い標準ダイナミックレンジ（ＳＤＲ）に対応したＳＤＲストリームとの少なくとも１つを含む映像ストリームと、
前記映像ストリームに前記ＨＤＲストリームが含まれているか否かを示す識別情報と、が記録されており、
前記再生装置は、
前記記録媒体から前記識別情報を読み出す読み出し部と、
前記再生装置が前記ＨＤＲストリームを再生できるか否かを示す再生能力情報と、前記再生装置に接続されている表示装置がＨＤＲの映像を表示できるか否かを示す表示能力情報とを取得する取得部と、
読み出した前記識別情報と、取得した前記再生能力情報および前記表示能力情報とに応じて、前記映像ストリームの中から再生する映像ストリームを決定する決定部と、
決定した前記映像ストリームを再生する再生部と、
前記再生により得られた再生信号を前記表示装置に出力する出力部と、を備える
再生装置であって、
前記識別情報は、当該映像ストリームに第１のＨＤＲストリームが含まれているか否か、および、当該映像ストリームに第２のＨＤＲストリームが含まれているか否かを示し、
前記決定では、前記識別情報が、前記映像ストリームに前記第１のＨＤＲストリームおよび前記第２のＨＤＲストリームが含まれていることを示している場合であり、
前記再生能力情報が前記第１のＨＤＲストリームを再生できることを示し、かつ、前記表示能力情報が前記第１のＨＤＲストリームの映像を表示できることを示すときであって、前記再生能力情報が前記第２のＨＤＲストリームを再生できないことを示すか、または、前記表示能力情報が前記第２のＨＤＲストリームの映像を表示できないことを示すとき、前記識別情報により前記第１のＨＤＲストリームであることが示されている映像ストリームを、前記再生する映像ストリームとして決定する
再生装置。
【発明の詳細な説明】
【技術分野】
【０００１】
本開示は、記録媒体に記録された高ダイナミックレンジ（Ｈｉｇｈ  Ｄｙｎａｍｉｃ  Ｒａｎｇｅ：ＨＤＲ）映像を含む映像データの再生方法、再生装置およびプログラムに関する。
【背景技術】
【０００２】
従来、ＤＶＤに関する技術が開示されている（例えば特許文献１参照）。
【先行技術文献】
【特許文献】
【０００３】
【特許文献１】特開平９−２８２８４８号公報
【発明の概要】
【発明が解決しようとする課題】
【０００４】
しかしながら、上記特許文献では、更なる改善が必要とされていた。
【課題を解決するための手段】
【０００５】
本開示の一態様に係る再生方法は、記録媒体に記録された映像ストリームを再生する再生装置による再生方法であって、前記記録媒体には、映像の輝度のダイナミックレンジが高ダイナミックレンジ（ＨＤＲ）に対応したＨＤＲストリームと、映像の輝度のダイナミックレンジがＨＤＲよりも狭い標準ダイナミックレンジ（ＳＤＲ）に対応したＳＤＲストリームとの少なくとも１つを含む映像ストリームと、前記映像ストリームに前記ＨＤＲストリームが含まれているか否かを示す識別情報と、が記録されており、前記再生方法は、前記記録媒体から前記識別情報を読み出し、前記再生装置が前記ＨＤＲストリームを再生できるか否かを示す再生能力情報と、前記再生装置に接続されている表示装置がＨＤＲの映像を表示できるか否かを示す表示能力情報とを取得し、読み出した前記識別情報と、取得した前記再生能力情報および前記表示能力情報とに応じて、前記映像ストリームの中から再生する映像ストリームを決定し、決定した前記映像ストリームを再生し、前記再生により得られた再生信号を前記表示装置に出力する再生方法であって、前記識別情報は、当該映像ストリームに第１のＨＤＲストリームが含まれているか否か、および、当該映像ストリームに第２のＨＤＲストリームが含まれているか否かを示し、前記決定では、前記識別情報が、前記映像ストリームに前記第１のＨＤＲストリームおよび前記第２のＨＤＲストリームが含まれていることを示している場合であり、前記再生能力情報が前記第１のＨＤＲストリームを再生できることを示し、かつ、前記表示能力情報が前記第１のＨＤＲストリームの映像を表示できることを示すときであって、前記再生能力情報が前記第２のＨＤＲストリームを再生できないことを示すか、または、前記表示能力情報が前記第２のＨＤＲストリームの映像を表示できないことを示すとき、前記識別情報により前記第１のＨＤＲストリームであることが示されている映像ストリームを、前記再生する映像ストリームとして決定する。
【０００６】
また、本開示の一態様に係るプログラムは、上記再生方法をコンピュータに実行させるためのプログラムである。
【０００７】
また、本開示の一態様に係る再生装置は、記録媒体に記録された映像ストリームを再生する再生装置であって、前記記録媒体には、映像の輝度のダイナミックレンジが高ダイナミックレンジ（ＨＤＲ）に対応したＨＤＲストリームと、映像の輝度のダイナミックレンジがＨＤＲよりも狭い標準ダイナミックレンジ（ＳＤＲ）に対応したＳＤＲストリームとの少なくとも１つを含む映像ストリームと、前記映像ストリームに前記ＨＤＲストリームが含まれているか否かを示す識別情報と、が記録されており、前記再生装置は、前記記録媒体から前記識別情報を読み出す読み出し部と、前記再生装置が前記ＨＤＲストリームを再生できるか否かを示す再生能力情報と、前記再生装置に接続されている表示装置がＨＤＲの映像を表示できるか否かを示す表示能力情報とを取得する取得部と、読み出した前記識別情報と、取得した前記再生能力情報および前記表示能力情報とに応じて、前記映像ストリームの中から再生する映像ストリームを決定する決定部と、決定した前記映像ストリームを再生する再生部と、前記再生により得られた再生信号を前記表示装置に出力する出力部と、を備える再生装置であって、前記識別情報は、当該映像ストリームに第１のＨＤＲストリームが含まれているか否か、および、当該映像ストリームに第２のＨＤＲストリームが含まれているか否かを示し、前記決定では、前記識別情報が、前記映像ストリームに前記第１のＨＤＲストリームおよび前記第２のＨＤＲストリームが含まれていることを示している場合であり、前記再生能力情報が前記第１のＨＤＲストリームを再生できることを示し、かつ、前記表示能力情報が前記第１のＨＤＲストリームの映像を表示できることを示すときであって、前記再生能力情報が前記第２のＨＤＲストリームを再生できないことを示すか、または、前記表示能力情報が前記第２のＨＤＲストリームの映像を表示できないことを示すとき、前記識別情報により前記第１のＨＤＲストリームであることが示されている映像ストリームを、前記再生する映像ストリームとして決定する。
【０００８】
本開示の一態様に係る再生方法は、記録媒体に記録された映像ストリームを再生する再生装置による再生方法であって、前記記録媒体には、映像の輝度のダイナミックレンジが高ダイナミックレンジ（ＨＤＲ）に対応したＨＤＲストリームと、映像の輝度のダイナミックレンジがＨＤＲよりも狭い標準ダイナミックレンジ（ＳＤＲ）に対応したＳＤＲストリームとの少なくとも１つを含む１以上の映像ストリームと、前記１以上の映像ストリームに前記ＨＤＲストリームが含まれている否かを示す識別情報と、が記録されており、前記再生方法では、前記記録媒体から前記識別情報を読み出し、前記再生装置が前記ＨＤＲストリームを再生できるか否かを示す再生能力情報と、前記再生装置に接続されている表示装置がＨＤＲの映像を表示できるか否かを示す表示能力情報とを取得し、読み出した前記識別情報と、取得した前記再生能力情報および前記表示能力情報とに応じて、前記１以上の映像ストリームの中から再生する映像ストリームを決定し、決定した前記映像ストリームを再生し、前記再生により得られた再生信号を前記表示装置に出力する。
【発明の効果】
【０００９】
上記態様によれば、更なる改善を実現することができる。
【図面の簡単な説明】
【００１０】
【図１】図１は、本開示の実施の形態における再生装置を使用するホームシアター・システムを示す模式図である。
【図２】図２は、ＢＤ−ＲＯＭの構成を示す図である。
【図３】図３は、ＩＮＤＥＸファイルの内部構成を示す図である。
【図４】図４は、ＡＶクリップの構成を示す図である。
【図５】図５は、ＡＶクリップに多重化されている各ストリームを模式的に示す図である。
【図６】図６は、ＰＥＳパケット列に格納されているビデオフレーム列の詳細を示す図である。
【図７】図７は、ＡＶクリップにおけるＴＳパケットおよびソースパケットの構造を示す図である。
【図８】図８は、ＰＭＴのデータ構造を示す図である。
【図９】図９は、クリップ情報ファイルの内部構成を示す図である。
【図１０】図１０は、ストリーム属性情報の内部構成を示す図である。
【図１１】図１１は、エントリマップの内部構成を示す図である。
【図１２】図１２は、プレイリストの内部構成を示す図である。
【図１３】図１３は、プレイアイテムの内部構成を示す図である。
【図１４】図１４は、サブパスを含むプレイリストの内部構成を示す図である。
【図１５】図１５は、再生装置の内部構成を示す図である。
【図１６】図１６は、再生装置のシステムパラメータの一覧を示す図である。
【図１７】図１７は、再生装置のシステムターゲットデコーダの内部構成の詳細を示す図である。
【図１８】図１８は、輝度レベルの標準ダイナミックレンジおよび高ダイナミックレンジの関係を示す図である。
【図１９】図１９は、プレイリストファイルのデータ構成の詳細を示す図である。
【図２０】図２０は、プレイリスト内の主ビデオの組み合わせパターンを示す図である。
【図２１Ａ】図２１Ａは、ＨＤＲ映像の主ビデオストリームのみが存在する場合のデータ構成例を示す図である。
【図２１Ｂ】図２１Ｂは、プレイリストにＨＤＲ互換のＳＤＲである主ビデオストリームのみが存在する場合のデータ構成例を示す図である。
【図２１Ｃ】図２１Ｃは、プレイリストにＨＤＲ非互換のＳＤＲである主ビデオストリームのみが存在する場合のデータ構成例を示す図である。
【図２１Ｄ】図２１Ｄは、プレイリストに、必須のＨＤＲ主ビデオストリームと第１のオプションのＨＤＲ主ビデオストリームとが存在する場合のデータ構成例を示す図である。
【図２１Ｅ】図２１Ｅは、プレイリストに、必須のＨＤＲ主ビデオストリームと第２のオプションのＨＤＲ主ビデオストリームとが存在する場合のデータ構成例を示す図である。
【図２１Ｆ】図２１Ｆは、プレイリストに、必須のＨＤＲ主ビデオストリームとＨＤＲ互換のＳＤＲ主ビデオストリームとが存在する場合のデータ構成例を示す図である。
【図２１Ｇ】図２１Ｇは、プレイリストに、必須のＨＤＲ主ビデオストリームとＨＤＲ非互換のＳＤＲ主ビデオストリームとが存在する場合のデータ構成例を示す図である。
【図２２】図２２は、ＡＶ再生モードの場合の、再生する主ビデオストリームの選択（決定）方法を示すフローチャートである。
【図２３】図２３は、プログラム再生モードの場合の、再生する主ビデオストリームの選択方法を示すフローチャートである。
【図２４】図２４は、ＳＤＲ２ビデオが選択された場合における、ＳＤＲ２ビデオを含む映像を表示装置に出力する出力方法の一例を示すフローチャートである。
【図２５】図２５は、ＳＤＲ１ビデオが選択された場合における、ＳＤＲ１ビデオを含む映像を表示装置に出力する出力方法の一例を示すフローチャートである。
【図２６】図２６は、ＨＤＲ１ビデオが選択された場合における、ＨＤＲ１ビデオを含む映像を表示装置に出力する出力方法の一例を示すフローチャートである。
【図２７】図２７は、ＨＤＲ１ビデオが選択された場合における、ＨＤＲ１ビデオを含む映像を表示装置に出力する出力方法の他の一例を示すフローチャートである。
【図２８】図２８は、ＨＤＲ２ビデオが選択された場合における、ＨＤＲ２ビデオを含む映像を表示装置に出力する出力方法の一例を示すフローチャートである。
【図２９】図２９は、ＨＤＲ３ビデオが選択された場合における、ＨＤＲ３ビデオを含む映像を表示装置に出力する出力方法の一例を示すフローチャートである。
【発明を実施するための形態】
【００１１】
（本開示の基礎となった知見）
上記特許文献では、更なる改善が必要とされていた。本発明者は、「背景技術」の欄において記載した、ＤＶＤなどの記録媒体に関し、以下の問題が生じることを見出した。
【００１２】
映画作品などの動画コンテンツを頒布するには、ＤＶＤやＢｌｕ−ｒａｙ（登録商標）  Ｄｉｓｃなどの光ディスクが広く用いられている。特にＢｌｕ−ｒａｙ（登録商標）  Ｄｉｓｃ（ＢＤ）はこれまでのＤＶＤがＳＤ（Ｓｔａｎｄａｒｄ  Ｄｅｆｉｎｉｔｉｏｎ）であるのに対して、１９２０×１０８０であるＨＤ（Ｈｉｇｈ  Ｄｅｆｉｎｉｔｉｏｎ）を扱うことができるため、より高画質の映像を格納することができる。また近年は、映像コンテンツとしてＨＤの解像度を超える４Ｋ（３８４０×２１６０）、８Ｋ（７６８０×４３２０）といったさらに高解像度を有する映像コンテンツ（以下、「高解像度映像」と言う。）も登場しており、４Ｋ映像の再生が可能な家庭用再生装置が普及してきている。また、高画質化技術として、前述の高解像度映像に加えて、映像の輝度のダイナミックレンジを従来よりも幅広く取ることによって映像のコントラストや色彩表現の向上を図る高ダイナミックレンジ（Ｈｉｇｈ  Ｄｙｎａｍｉｃ  Ｒａｎｇｅ：ＨＤＲ）技術が注目されてきている。また、それに伴いＨＤＲ技術に対応した映像コンテンツも登場してきていることから、今後は高解像度かつ高ダイナミックレンジの映像コンテンツを光ディスクなどの記録媒体に記録し、再生することが求められる。
【００１３】
ＢＤには、映像の輝度のダイナミックレンジが従来の方式である標準ダイナミックレンジ（Ｓｔａｎｄａｒｄ  Ｄｙｎａｍｉｃ  Ｒａｎｇｅ：ＳＤＲ）に対応した映像ストリーム（以下、「ＳＤＲストリーム」と言う。）と、ＳＤＲのダイナミックレンジを拡大した方式である高ダイナミックレンジ（ＨＤＲ）に対応した映像ストリーム（以下、「ＨＤＲストリーム」と言う。）のいずれか、あるいはその両方が記録される。また、ＨＤＲストリームには、複数の異なる方式が存在する。ＢＤには、複数の異なる方式のいずれかの方式に対応したＨＤＲストリーム、あるいは、複数の異なる方式にそれぞれ対応した複数のＨＤＲストリームが記録される。
【００１４】
一方で、再生装置には、ＨＤＲストリームの再生能力を有するものと有さないものとが存在し、表示装置にもまた、ＨＤＲ映像の表示能力を有するものと有さないものとが存在する。また、複数のＨＤＲの方式に対応した複数のＨＤＲストリームの再生能力を有する再生装置も存在し得るし、当該複数のＨＤＲの方式に対応した複数のＨＤＲ映像の表示能力を有する表示装置も存在し得る。
【００１５】
このように、再生装置によって再生能力が異なり、また、表示装置によって表示能力が異なるため、互いに接続する再生装置および表示装置の組合せによって、記録媒体に記録されている複数の映像ストリームのうちいずれの方式のダイナミックレンジに対応した映像ストリームを選択して再生および表示するかが異なってくる。
【００１６】
例えば、再生装置は、ＨＤＲストリームの再生能力を有しているが、当該再生装置に接続されている表示装置がＨＤＲ映像の表示能力を有さない場合、記録媒体に記録されているＨＤＲストリームの映像コンテンツを、ＨＤＲに対応した画質で表示装置に表示することはできないと言う課題がある。
【００１７】
以上の検討を踏まえ、本発明者は、上記課題を解決するために、下記の改善策を検討した。
【００１８】
本開示の一態様に係る再生方法は、記録媒体に記録された映像ストリームを再生する再生装置による再生方法であって、前記記録媒体には、映像の輝度のダイナミックレンジが高ダイナミックレンジ（ＨＤＲ）に対応したＨＤＲストリームと、映像の輝度のダイナミックレンジがＨＤＲよりも狭い標準ダイナミックレンジ（ＳＤＲ）に対応したＳＤＲストリームとの少なくとも１つを含む映像ストリームと、前記映像ストリームに前記ＨＤＲストリームが含まれているか否かを示す識別情報と、が記録されており、前記再生方法は、前記記録媒体から前記識別情報を読み出し、前記再生装置が前記ＨＤＲストリームを再生できるか否かを示す再生能力情報と、前記再生装置に接続されている表示装置がＨＤＲの映像を表示できるか否かを示す表示能力情報とを取得し、読み出した前記識別情報と、取得した前記再生能力情報および前記表示能力情報とに応じて、前記映像ストリームの中から再生する映像ストリームを決定し、決定した前記映像ストリームを再生し、前記再生により得られた再生信号を前記表示装置に出力する再生方法であって、前記識別情報は、当該映像ストリームに第１のＨＤＲストリームが含まれているか否か、および、当該映像ストリームに第２のＨＤＲストリームが含まれているか否かを示し、前記決定では、前記識別情報が、前記映像ストリームに前記第１のＨＤＲストリームおよび前記第２のＨＤＲストリームが含まれていることを示している場合であり、前記再生能力情報が前記第１のＨＤＲストリームを再生できることを示し、かつ、前記表示能力情報が前記第１のＨＤＲストリームの映像を表示できることを示すときであって、前記再生能力情報が前記第２のＨＤＲストリームを再生できないことを示すか、または、前記表示能力情報が前記第２のＨＤＲストリームの映像を表示できないことを示すとき、前記識別情報により前記第１のＨＤＲストリームであることが示されている映像ストリームを、前記再生するストリームとして決定する。
【００１９】
また、前記第２のＨＤＲストリームは、前記第１のＨＤＲストリームよりも予め定められた優先度が高い映像ストリームであってもよい。
【００２０】
また、本開示の一態様に係るプログラムは、上記再生方法をコンピュータに実行させるためのプログラムである。
【００２１】
また、本開示の一態様に係る再生装置は、記録媒体に記録された映像ストリームを再生する再生装置であって、前記記録媒体には、映像の輝度のダイナミックレンジが高ダイナミックレンジ（ＨＤＲ）に対応したＨＤＲストリームと、映像の輝度のダイナミックレンジがＨＤＲよりも狭い標準ダイナミックレンジ（ＳＤＲ）に対応したＳＤＲストリームとの少なくとも１つを含む映像ストリームと、前記映像ストリームに前記ＨＤＲストリームが含まれているか否かを示す識別情報と、が記録されており、前記再生装置は、前記記録媒体から前記識別情報を読み出す読み出し部と、前記再生装置が前記ＨＤＲストリームを再生できるか否かを示す再生能力情報と、前記再生装置に接続されている表示装置がＨＤＲの映像を表示できるか否かを示す表示能力情報とを取得する取得部と、読み出した前記識別情報と、取得した前記再生能力情報および前記表示能力情報とに応じて、前記映像ストリームの中から再生する映像ストリームを決定する決定部と、決定した前記映像ストリームを再生する再生部と、前記再生により得られた再生信号を前記表示装置に出力する出力部と、を備える再生装置であって、前記識別情報は、当該映像ストリームに第１のＨＤＲストリームが含まれているか否か、および、当該映像ストリームに第２のＨＤＲストリームが含まれているか否かを示し、前記決定では、前記識別情報が、前記映像ストリームに前記第１のＨＤＲストリームおよび前記第２のＨＤＲストリームが含まれていることを示している場合であり、前記再生能力情報が前記第１のＨＤＲストリームを再生できることを示し、かつ、前記表示能力情報が前記第１のＨＤＲストリームの映像を表示できることを示すときであって、前記再生能力情報が前記第２のＨＤＲストリームを再生できないことを示すか、または、前記表示能力情報が前記第２のＨＤＲストリームの映像を表示できないことを示すとき、前記識別情報により前記第１のＨＤＲストリームであることが示されている映像ストリームを、前記再生するストリームとして決定する。
【００２２】
本開示の一態様に係る再生方法は、記録媒体に記録された映像ストリームを再生する再生装置による再生方法であって、前記記録媒体には、映像の輝度のダイナミックレンジが高ダイナミックレンジ（ＨＤＲ）に対応したＨＤＲストリームと、映像の輝度のダイナミックレンジがＨＤＲよりも狭い標準ダイナミックレンジ（ＳＤＲ）に対応したＳＤＲストリームとの少なくとも１つを含む１以上の映像ストリームと、前記１以上の映像ストリームに前記ＨＤＲストリームが含まれている否かを示す識別情報と、が記録されており、前記再生方法では、前記記録媒体から前記識別情報を読み出し、前記再生装置が前記ＨＤＲストリームを再生できるか否かを示す再生能力情報と、前記再生装置に接続されている表示装置がＨＤＲの映像を表示できるか否かを示す表示能力情報とを取得し、読み出した前記識別情報と、取得した前記再生能力情報および前記表示能力情報とに応じて、前記１以上の映像ストリームの中から再生する映像ストリームを決定し、決定した前記映像ストリームを再生し、前記再生により得られた再生信号を前記表示装置に出力する。
【００２３】
これによれば、識別情報と、再生能力情報と、表示能力情報との３つの情報に応じて、再生する映像ストリームを決定しているため、適切な映像ストリームの映像を表示装置に出力できる。
【００２４】
また、例えば、前記決定では、前記１以上の映像ストリームのうちで、読み出した前記識別情報が前記１以上の映像ストリームに含まれることを示しており、かつ、取得した前記再生能力情報が再生できることを示し、かつ、取得した前記表示能力情報が表示できることを示す映像ストリームを、前記再生するストリームとして決定してもよい。
【００２５】
このため、適切な映像ストリームの映像を表示装置に出力できる。
【００２６】
また、例えば、前記決定では、前記再生装置で再生でき、かつ、前記表示装置で表示できる映像ストリームが２以上ある場合、当該２以上の映像ストリームのうちで、予め定められた優先度が高い映像ストリームを、前記再生するストリームとして決定してもよい。
【００２７】
このため、より適切な映像ストリームの映像を表示装置に出力できる。
【００２８】
また、例えば、前記識別情報は、さらに、前記１以上の映像ストリームに前記ＳＤＲストリームが含まれているか否かを示し、前記決定では、前記識別情報が、前記１以上の映像ストリームに前記ＨＤＲストリームおよび前記ＳＤＲストリームを含むことを示している場合、前記再生能力情報が前記ＨＤＲストリームを再生できることを示し、かつ、前記表示能力情報が前記ＨＤＲの映像を表示できることを示すとき、前記ＨＤＲストリームであることを示す前記識別情報に対応している映像ストリームを、前記再生するストリームとして決定し、前記再生能力情報が前記ＨＤＲストリームを再生できないことを示すか、または、前記表示能力情報が前記ＨＤＲストリームの映像を表示できないことを示すとき、前記ＳＤＲストリームであることを示す前記識別情報に対応している映像ストリームを、前記再生するストリームとして決定してもよい。
【００２９】
これによれば、ＨＤＲストリームを再生可能および表示可能な場合には、ＨＤＲストリームの映像を表示装置に出力する。このため、より高画質な映像を表示装置に出力できる。
【００３０】
また、例えば、前記識別情報は、さらに、前記１以上の映像ストリームのそれぞれについて、当該映像ストリームに第１のＨＤＲストリームが含まれているか否か、および、当該映像ストリームに第２のＨＤＲストリームが含まれているか否かを示し、前記決定では、前記識別情報が、前記１以上の映像ストリームに前記第１のＨＤＲストリームおよび前記第２のＨＤＲストリームが含まれていることを示している場合、前記再生能力情報が前記第２のＨＤＲストリームを再生できることを示し、かつ、前記表示能力情報が前記第２のＨＤＲストリームの映像を表示できることを示すとき、前記識別情報により前記第２のＨＤＲストリームであることが示されている映像ストリームを、前記再生するストリームとして決定し、前記再生能力情報が前記第１のＨＤＲストリームを再生できることを示し、かつ、前記表示能力情報が前記第１のＨＤＲストリームの映像を表示できることを示すときであって、前記再生能力情報が前記第２のＨＤＲストリームを再生できないことを示すか、または、前記表示能力情報が前記第２のＨＤＲストリームの映像を表示できないことを示すとき、前記識別情報により前記第１のＨＤＲストリームであることが示されている映像ストリームを、前記再生するストリームとして決定してもよい。
【００３１】
また、例えば、前記第２のＨＤＲストリームは、前記第１のＨＤＲストリームよりも予め定められた優先度が高い映像ストリームであってもよい。
【００３２】
これによれば、より優先度が高い第２のＨＤＲストリームを再生可能および表示可能な場合には、第２のＨＤＲストリームの映像を表示装置に出力できる。これにより、より適切な映像を表示装置に出力できる。
【００３３】
以下、本開示の実施形態について、図面を参照しながら説明する。
【００３４】
（実施の形態）
本開示に係る再生方法の実施の形態について図面を参照して説明する。
【００３５】
図１は、本開示の実施の形態における再生装置を使用するホームシアター・システムを示す模式図である。このホームシアター・システムは３８４０画素×２１６０画素（以下、「４Ｋ」という。）の２Ｄ映像に加えて、ＨＤＲ映像を表示可能である。
【００３６】
図１に示すように、ホームシアター・システムは、ＢＤ−ＲＯＭディスク１０１を再生対象とし、再生装置１０２、表示装置１０３、およびリモコン１０４を含む。
【００３７】
ＢＤ−ＲＯＭディスク１０１は、読み出し専用記録媒体である。ＢＤ−ＲＯＭディスク１０１は、例えば、コンテンツとして映画を格納している。このコンテンツは、４Ｋの２Ｄ映像を表す映像ストリームを含む。前記４Ｋの２Ｄ映像は、ＨＤＲ映像であるかＳＤＲ映像のいずれかであって、ＨＤＲストリームとＳＤＲストリームとのいずれか、あるいはその両方を含む。これらの映像ストリームはエクステント単位でＢＤ−ＲＯＭディスク１０１上に配置され、後述のデータ構造を利用して再生装置１０２によりアクセスされる。
【００３８】
再生装置１０２は、ＢＤ−ＲＯＭドライブ１２１を搭載している。ＢＤ−ＲＯＭドライブ１２１は、ＢＤ−ＲＯＭ方式に準拠した光ディスクドライブである。再生装置１０２は、ＢＤ−ＲＯＭドライブ１２１を利用して、ＢＤ−ＲＯＭディスク１０１から映像ストリームを読み出す。再生装置１０２は、読み出した映像ストリームを映像データ／音声データに復号することで、映像ストリームを再生する。ここで、再生装置１０２は、映像ストリームを、ＳＤＲ４Ｋの２Ｄ映像、および、ＨＤＲ４Ｋの２Ｄ映像とのいずれとしても再生可能である。以下、ＳＤＲ４Ｋの２Ｄ映像を再生するときの再生装置１０２の動作モードを「ＳＤＲ再生モード」といい、ＨＤＲ４Ｋの２Ｄ映像を再生するときの再生装置１０２の動作モードを「ＨＤＲ再生モード」という。
【００３９】
再生装置１０２は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブル１２２で表示装置１０３に接続されている。再生装置１０２は、映像ストリームを復号することにより得られた映像データ／音声データをＨＤＭＩ（登録商標）方式の映像信号／音声信号（再生信号とも言う。）に変換し、ＨＤＭＩ（登録商標）ケーブル１２２を通して表示装置１０３に伝送する。再生装置１０２は、更に、ＨＤＭＩ（登録商標）ケーブル１２２を通して表示装置１０３との間でＣＥＣメッセージを交換する。それにより、再生装置１０２は、ＨＤＲ映像を表示可能か否かを表示装置１０３に問い合わせることができる。
【００４０】
表示装置１０３は、例えば、液晶ディスプレイである。表示装置１０３は、映像信号に従って画面１３１上に映像を表示し、音声信号に従って内蔵のスピーカから音声を発生させる。表示装置１０３は、ＨＤＲ映像の表示に対応可能である。
【００４１】
リモコン１０４は、操作部と送信部とを含む。操作部は、複数のボタンを含む。各ボタンは、電源のオンオフ、または、ＢＤ−ＲＯＭディスク１０１の再生開始若しくは停止等、再生装置１０２または表示装置１０３の各機能に対応付けられている。操作部はユーザによる各ボタンの押下を検出し、そのボタンの識別情報を信号で送信部に伝える。送信部は、操作部からの信号を赤外線（または他の無線方式）による信号ＩＲに変換して再生装置１０２または表示装置１０３へ送出する。一方、再生装置１０２と表示装置１０３とは、それぞれ、リモコン１０４から送信された信号ＩＲを受信し、受信した信号ＩＲの示す機能を実行する。こうして、ユーザは、再生装置１０２または表示装置１０３を遠隔操作できる。
【００４２】
次に本開示に係る記録媒体であるＢＤ−ＲＯＭの、２Ｄ映像を格納するためのデータ構造について説明する。
【００４３】
図２は、ＢＤ−ＲＯＭの構成を示す図である。
【００４４】
図２では、第４段目にＢＤ−ＲＯＭディスク１０１を示し、第３段目にＢＤ−ＲＯＭディスク１０１上のトラック２０２を示す。図２のトラック２０２は、ＢＤ−ＲＯＭディスク１０１の内周から外周にかけてらせん状に形成されているトラック２０２を横方向に引き伸ばして描画している。ＢＤ−ＲＯＭディスク１０１は、他の光ディスク、例えばＤＶＤやＣＤなどと同様にその内周から外周に向けてらせん状に記録領域を有し、内周のリードインと外周のリードアウトとの間に論理データを記録できるボリューム領域を有している。ボリューム領域は、先頭から順に光ディスクをアクセスする単位で通し番号が振られており、この番号のことを論理アドレスと呼ぶ。光ディスクからのデータの読み出しは、論理アドレスを指定することで行われる。ここでは論理アドレスは、光ディスク上の物理的な配置においても、連続していると定義する。すなわち、論理アドレスが連続しているデータは、再生装置１０２のＢＤ−ＲＯＭドライブ１２１の光ピックアップがシークを行わずに読み出すことが可能である。また、リードインの内側にはＢＣＡ（Ｂｕｒｓｔ  Ｃｕｔｔｉｎｇ  Ａｒｅａ）と呼ばれるＢＤ−ＲＯＭドライブ１２１でしか読み出せない特別な領域がある。この領域は、アプリケーションから読み出せないため、例えば著作権保護技術などに利用されることがよくある。
【００４５】
ボリューム領域には、先頭からファイルシステムのボリューム情報が記録され、続いて映像データなどのアプリケーションデータが記録されている。ファイルシステムとはディスク上のデータをディレクトリまたはファイルと呼ばれる単位で表現する仕組みである。ファイルシステムは、ＢＤ−ＲＯＭディスク１０１の場合ではＵＤＦ（Ｕｎｉｖｅｒｓａｌ  Ｄｉｓｃ  Ｆｏｒｍａｔ）が用いられる。日常使っているＰＣ（パーソナルコンピュータ）の場合でも、ＦＡＴまたはＮＴＦＳと呼ばれるファイルシステムによって、ディレクトリやファイルという構造でハードディスクに記録されたデータがコンピュータ上で表現され、ユーザビリティを高めている。このファイルシステムにより、通常のＰＣと同じように記録されている論理データをディレクトリ、ファイル構造を使って読み出しする事が可能になっている。
【００４６】
ＢＤ−ＲＯＭディスク１０１上のディレクトリまたはファイル構造では、ルートディレクトリ（ＲＯＯＴ）の直下にＢＤＭＶディレクトリが置かれている。ＢＤＭＶディレクトリは、ＢＤ−ＲＯＭディスク１０１で扱うＡＶコンテンツや管理情報などのデータが記録されているディレクトリである。ＢＤＭＶディレクトリの配下には、タイトルを構成するインデックステーブルが定義されたＩＮＤＥＸファイル、ＰＬＡＹＬＩＳＴディレクトリ、ＣＬＩＰＩＮＦＯディレクトリ、ＳＴＲＥＡＭディレクトリ、ＰＲＯＧＲＡＭディレクトリが配置される。映像および音声といったＡＶコンテンツが多重化され格納されたＡＶクリップ（ＸＸＸ．Ｍ２ＴＳ）、ＡＶクリップの管理情報を格納したクリップ情報ファイル（ＸＸＸ．ＣＬＰＩ）、ＡＶクリップの論理的な再生経路を定義したプレイリストファイル（ＹＹＹ．ＭＰＬＳ）、動的なシナリオを定義するためのプログラムが格納されたＢＤプログラムファイル（ＡＡＡ．ＰＲＯＧ）は、それぞれ前述のＳＴＲＥＡＭディレクトリ、ＣＬＩＰＩＮＦＯディレクトリ、ＰＬＡＹＬＩＳＴディレクトリ、ＰＲＯＧＲＡＭディレクトリの下に配置される。
【００４７】
以下に、ＢＤＭＶディレクトリの配下に配置される各ファイルのデータ構造について説明する。
【００４８】
まず、ＩＮＤＥＸファイルについて説明する。図３は、ＩＮＤＥＸファイルの内部構成を示す図である。
【００４９】
図３に示すように、ＩＮＤＥＸファイルは、インデックステーブルを有する。インデックステーブルは、ＢＤ−ＲＯＭディスク１０１に格納される全てのタイトル、トップメニュー、ＦｉｒｓｔＰｌａｙといったタイトル構成を定義する最上位層のテーブルである。このテーブルには、全てのタイトル、トップメニュー、ＦｉｒｓｔＰｌａｙから最初に実行されるＢＤプログラムファイルが指定されている。ＢＤ−ＲＯＭディスク１０１の再生装置１０２は、タイトルあるいはメニューが呼び出されるたびにインデックステーブルを参照して、所定のＢＤプログラムファイルを実行する。ここで、ＦｉｒｓｔＰｌａｙとは、コンテンツプロバイダによって設定されるもので、ＢＤ−ＲＯＭディスク１０１再生時に自動実行されるＢＤプログラムファイルが設定されている。また、トップメニューは、リモコン１０４等を用いたユーザの操作により、例えば「メニューに戻る」というコマンドが実行されるときに、呼び出されるＢＤプログラムファイルが設定されている。
【００５０】
図２に戻り、ＢＤプログラムファイル（ＡＡＡ．ＰＲＯＧ）は、タイトルから指定されることにより実行されるプログラムが格納されている。プログラムのファイルは複数あり、プリフィックス（ＡＡＡ）がプログラムを識別するのに使用される。ここで使用されるプログラムは、ＢＤの場合はコマンドナビゲーションと呼ばれる独自仕様のインタープリタ方式のプログラムが使われるが、言語方式は本開示の本質ではないため、Ｊａｖａ（登録商標）やＪａｖａＳｃｒｉｐｔ（登録商標）のような汎用のプログラミング言語であっても構わない。このプログラムによって再生されるプレイリストが指定される。
【００５１】
続いて、ＡＶクリップ（ＸＸＸ．Ｍ２ＴＳ）およびクリップ情報ファイル（ＸＸＸ．ＣＬＰＩ）について説明する。
【００５２】
ＡＶクリップは、ＭＰＥＧ−２トランスポートストリーム形式のデジタルストリームである。
【００５３】
図４は、ＡＶクリップの構成を示す図である。本図に示すようにＡＶクリップは、ビデオストリーム（映像ストリーム）、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、ＭＰＥＧ−２、ＭＰＥＧ−４  ＡＶＣ、または、ＳＭＰＴＥ  ＶＣ−１などの方式で符号化されている。オーディオストリームは、ＡＣ−３、ドルビー・デジタル・プラス（Ｄｏｌｂｙ  Ｄｉｇｉｔａｌ（登録商標）  Ｐｌｕｓ）、ＭＬＰ（Ｍｅｒｉｄｉａｎ  Ｌｏｓｓｌｅｓｓ  Ｐａｃｋｉｎｇ：登録商標）、ＤＴＳ（Ｄｉｇｉｔａｌ  Ｔｈｅａｔｅｒ  Ｓｙｓｔｅｍ：登録商標）、ＤＴＳ−ＨＤ、またはリニアＰＣＭ（Ｐｕｌｓｅ  Ｃｏｄｅ  Ｍｏｄｕｌａｔｉｏｎ）などの方式で符号化されている。
【００５４】
ビデオストリームの構成について説明する。ＭＰＥＧ−２、ＭＰＥＧ−４  ＡＶＣ、ＳＭＰＴＥ  ＶＣ−１などの動画圧縮符号化においては、動画像の空間方向および時間方向の冗長性を利用してデータ量の圧縮を行う。時間方向の冗長性を利用する方法として、ピクチャ間予測符号化が用いられる。ピクチャ間予測符号化では、あるピクチャを符号化する際に、表示時間順で前方または後方にあるピクチャを参照ピクチャとする。そして、その参照ピクチャからの動き量を検出し、動き補償を行ったピクチャと符号化対象ピクチャとの差分値に対して空間方向の冗長度を取り除くことによりデータ量の圧縮を行う。
【００５５】
ここでは、参照ピクチャを持たずに符号化対象ピクチャのみを用いてピクチャ内予測符号化を行うピクチャをＩピクチャと呼ぶ。ピクチャとは、フレームおよびフィールドの両者を包含する１つの符号化の単位である。また、既に処理済の１枚のピクチャを参照してピクチャ間予測符号化するピクチャをＰピクチャとよび、既に処理済みの２枚のピクチャを同時に参照してピクチャ間予測符号化するピクチャをＢピクチャと呼び、Ｂピクチャの中で他のピクチャから参照されるピクチャをＢｒピクチャと呼ぶ。また、フレーム構造の場合のフレーム、または、フィールド構造の場合のフィールドを、ここではビデオアクセスユニットと呼ぶ。
【００５６】
ＡＶクリップに含まれる各ストリームは、ＰＩＤ（Ｐａｃｋｅｔ  ＩＤ）によって識別される。ＰＩＤとしては、例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまでが、主音声とミキシングする副音声に利用するオーディオストリームには０ｘ１Ａ００から０ｘ１Ａ１Ｆまでが、それぞれ割り当てられている。
【００５７】
図５は、ＡＶクリップに多重化されている各ストリームを模式的に示す図である。
【００５８】
まず、複数のビデオフレームからなるビデオストリーム５０１と、複数のオーディオフレームからなるオーディオストリーム５０４とを、それぞれＰＥＳパケット列５０２、５０５に変換し、さらに、ＴＳパケット５０３、５０６に変換する。同じくプレゼンテーショングラフィックスストリーム５０７と、インタラクティブグラフィックスストリーム５１０とを、それぞれＰＥＳパケット列５０８、５１１に変換し、さらに、ＴＳパケット５０９、５１２に変換する。ＡＶクリップ５１３は、これらのＴＳパケット５０３、５０６、５０９、５１２を１本のストリームに多重化することで構成される。
【００５９】
図６は、ＰＥＳパケット列に格納されているビデオフレーム列の詳細を示す図である。
【００６０】
図６では、第１段目にビデオストリームのビデオフレーム列を示し、第２段目にＰＥＳパケット列を示す。図６に示すように、ビデオストリームにおける複数のＶｉｄｅｏ  Ｐｒｅｓｅｎｔａｔｉｏｎ  ＵｎｉｔであるＩピクチャｙｙ１、Ｐピクチャｙｙ２、Ｂピクチャｙｙ３、ｙｙ４は、ピクチャ毎に分割され、分割された各ピクチャはＰＥＳパケットのペイロードに格納される。各ＰＥＳパケットは、ＰＥＳヘッダを有し、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【００６１】
図７は、ＡＶクリップにおけるＴＳパケットおよびソースパケットの構造を示す図である。
【００６２】
図７に示すように、ＴＳパケット列は、複数のＴＳパケットを有する。複数のＴＳパケットのそれぞれは、ストリームを識別するＰＩＤなどの情報を持つ４ＢｙｔｅのＴＳヘッダと、データを格納する１８４ＢｙｔｅのＴＳペイロードとから構成される１８８Ｂｙｔｅ固定長のパケットであり、前述で説明したＰＥＳパケットは分割されＴＳペイロードに格納される。ＢＤ−ＲＯＭの場合、ＴＳパケットに４ＢｙｔｅのＴＰ＿Ｅｘｔｒａ＿Ｈｅａｄｅｒが付与されることで１９２Ｂｙｔｅのソースパケットが構成され、各ソースパケットがＡＶクリップに書き込まれる。ＴＰ＿Ｅｘｔｒａ＿Ｈｅａｄｅｒには、ＡＴＳ（Ａｒｒｉｖａｌ＿Ｔｉｍｅ＿Ｓｔａｍｐ）などの情報が記載される。ＡＴＳは、当該ＴＳパケットの、後述するシステムターゲットデコーダ１５０３のＰＩＤフィルタへの転送開始時刻を示す。ＡＶクリップは、図７の下段に示すように複数のソースパケットが並んで構成される。ＡＶクリップの先頭からインクリメントする番号はＳＰＮ（ソースパケットナンバー）と呼ばれる。
【００６３】
また、ＡＶクリップに含まれるＴＳパケットには、映像、音声、字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などが含まれる。ＰＡＴは、ＡＶクリップ中に利用されるＰＭＴのＰＩＤが何であるかを示す。ＰＡＴ自身のＰＩＤは０で登録されている。ＰＭＴは、ＡＶクリップ中に含まれる映像、音声、字幕などの各ストリームのＰＩＤと各ＰＩＤに対応するストリームの属性情報とを有する。また、ＰＭＴは、ＡＶクリップに関する各種ディスクリプタを有する。ディスクリプタには、ＡＶクリップのコピーを許可または不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）と、ＰＴＳおよびＤＴＳの時間軸であるＳＴＣ（Ｓｙｓｔｅｍ  Ｔｉｍｅ  Ｃｌｏｃｋ）との同期を取るために、そのＰＣＲパケットがデコーダに転送されるＡＴＳに対応するＳＴＣ時間の情報を有する。
【００６４】
図８はＰＭＴのデータ構造を詳しく説明する図である。
【００６５】
ＰＭＴの先頭には、そのＰＭＴに含まれるデータの長さなどを記したＰＭＴヘッダが配置される。その後ろには、ＡＶクリップに関するディスクリプタが複数配置される。前述したコピーコントロール情報などが、ディスクリプタとして記載される。ディスクリプタの後には、ＡＶクリップに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタはＡＶクリップに存在するストリームの数だけ存在する。
【００６６】
図９は、クリップ情報ファイルの内部構成を示す図である。
【００６７】
クリップ情報ファイルは、図９に示すようにＡＶクリップの管理情報であり、ＡＶクリップと１対１に対応している。クリップ情報ファイルは、クリップ情報、ストリーム属性情報およびエントリマップから構成される。
【００６８】
クリップ情報は、図９に示すようにシステムレート、再生開始時刻および再生終了時刻から構成されている。システムレートは、ＡＶクリップの、後述するシステムターゲットデコーダのＰＩＤフィルタへの最大転送レートを示す。ＡＶクリップ中に含まれるＡＴＳの間隔はシステムレート以下になるように設定される。再生開始時刻はＡＶクリップの先頭のビデオフレームのＰＴＳであり、再生終了時刻はＡＶクリップの終端のビデオフレームのＰＴＳに１フレーム分の再生間隔を足したものが設定される。
【００６９】
図１０は、ストリーム属性情報の内部構成を示す図である。
【００７０】
ストリーム属性情報は、図１０に示すように、ＡＶクリップに含まれる各ストリームについての属性情報が、ＰＩＤ毎に登録される。ストリーム属性情報は、ビデオストリーム、オーディオストリーム、プレゼンテーショングラフィックスストリーム、インタラクティブグラフィックスストリーム毎に対応した、互いに異なる属性情報を有する。ビデオストリーム属性情報は、対応するビデオストリームがどのような圧縮コーデックで圧縮されたか、当該ビデオストリームを構成する個々のピクチャデータの解像度がどれだけであるか、アスペクト比はどれだけであるか、フレームレートはどれだけであるかなどを示す情報を有する。オーディオストリーム属性情報は、対応するオーディオストリームがどのような圧縮コーデックで圧縮されたか、当該オーディオストリームに含まれるチャンネル数は何であるか、何の言語に対応するか、サンプリング周波数がどれだけであるかなどを示す情報を有する。これらの情報は、再生装置において、再生する前のデコーダの初期化などに利用される。
【００７１】
図１１は、エントリマップの内部構成を示す図である。
【００７２】
エントリマップは、図１１に示すように、エントリマップヘッダ情報１１０１と、ＡＶクリップ内に含まれるビデオストリームの各Ｉピクチャの表示時刻を示すＰＴＳと各Ｉピクチャが開始するＡＶクリップのＳＰＮとが格納されたテーブル情報である。ここではテーブルの１つの行で示される対となるＰＴＳおよびＳＰＮの情報をエントリポイントと呼ぶことにする。また先頭を０としてエントリポイント毎にインクリメントした値をエントリポイントＩＤ（以下、「ＥＰ＿ＩＤ」と言う。）と呼ぶことにする。このエントリマップを利用することにより、再生装置はビデオストリームの時間軸上の任意の地点に対応するＡＶクリップのファイル位置を特定することができるようになる。例えば、早送りや巻戻しなどの特殊再生の際には、エントリマップに登録されるＩピクチャを特定し、特定したＩピクチャから再生することによりＡＶクリップを解析することなく効率的に処理を行うことができる。また、エントリマップは、ＡＶクリップ内に多重化されるビデオストリーム毎に作られ、ＰＩＤで管理される。また、エントリマップには、先頭にエントリマップヘッダ情報１１０１が格納される。エントリマップヘッダ情報１１０１には、該当エントリマップが指すビデオストリームのＰＩＤやエントリポイント数などの情報が格納される。
【００７３】
次に、プレイリストファイル（ＹＹＹ．ＭＰＬＳ）について説明する。図１２は、プレイリストの内部構成を示す図である。
【００７４】
プレイリストは、ＡＶクリップ１２０４の再生経路を示すものである。図１２に示すように、プレイリストは１つ以上のプレイアイテム１２０１から構成され、各プレイアイテムはＡＶクリップ１２０４に対する再生区間を示す。各プレイアイテム１２０１は、プレイアイテムＩＤで識別され、プレイリスト内で再生されるべき順序で記述されている。また、プレイリストは、再生開始点を示すエントリマーク１２０２を含んでいる。エントリマーク１２０２は、各プレイアイテムで定義される再生区間内に対して付与される。エントリマーク１２０２は、図１２に示すように、プレイアイテムに対して再生開始点となりうる位置に付与され、頭出し再生に利用される。例えば、映画タイトルにおいて、エントリマーク１２０２をチャプタの先頭となる位置に付与することで、当該チャプタの先頭から再生開始できる。なお、ここでは、一連のプレイアイテムの再生経路をメインパス１２０５と定義する。なお、ＡＶクリップ情報１２０３は、ＡＶクリップ１２０４の先頭からの復号時刻／表示時刻と、ＡＶクリップ１２０４の論理アドレスとが関連付けられた情報である。
【００７５】
プレイアイテムの内容について説明する。図１３は、プレイアイテムの内部構成を示す図である。
【００７６】
プレイアイテムには、再生（参照）するクリップ情報１３０１、再生開始時刻１３０２、再生終了時刻１３０３、コネクションコンディション１３１０、およびストリーム選択テーブル１３０５が含まれている。再生開始時刻および再生終了時刻は、時刻情報であるため、再生装置はクリップ情報ファイルのエントリマップを参照し、指定された再生開始時刻および再生終了時刻に対応するＳＰＮを取得する。再生装置は、取得したＳＰＮから読み出し開始位置を特定して再生処理を行う。
【００７７】
コネクションコンディション１３１０は、前方プレイアイテムとの接続タイプを示している。
【００７８】
プレイアイテムのコネクションコンディション１３１０が「１」の場合は、プレイアイテムが指し示すＡＶクリップは、そのプレイアイテムの前のプレイアイテムが指し示すＡＶクリップとシームレス接続が保証されないことを示す。
【００７９】
プレイアイテムのコネクションコンディション１３１０が「５」か「６」の場合は、プレイアイテムが指し示すＡＶクリップは、そのプレイアイテムの前のプレイアイテムが指し示すＡＶクリップとシームレスに接続されることが保証されることを示す。
【００８０】
コネクションコンディション１３１０が「５」の場合は、プレイアイテム間でＳＴＣの連続性が途切れていてもよい。つまり、この場合、接続前プレイアイテムのＡＶクリップ終端のビデオ表示時刻と、接続後プレイアイテムのＡＶクリップ先頭のビデオ表示時刻とは不連続でよい。ただし、接続前プレイアイテムのＡＶクリップを後述するシステムターゲットデコーダ１５０３のＰＩＤフィルタに入力した後に続けて、接続後プレイアイテムのＡＶクリップをシステムターゲットデコーダ１５０３のＰＩＤフィルタに入力して再生したときに、システムターゲットデコーダ１５０３のデコードが破綻しないようにＡＶクリップを作成する必要がある。また接続前プレイアイテムのＡＶクリップのオーディオの終端フレームと、接続後プレイアイテムのオーディオの先頭フレームは再生時間軸で重ならなければならないなどの制約条件がある。
【００８１】
また、コネクションコンディション１３１０が「６」の場合は、接続前プレイアイテムのＡＶクリップと接続後プレイアイテムのＡＶクリップとを結合したときに１本のＡＶクリップとして再生できなければならない。つまり、接続前プレイアイテムのＡＶクリップと接続後プレイアイテムのＡＶクリップとの間でＳＴＣは連続し、またＡＴＣも連続する。
【００８２】
ストリーム選択テーブル１３０５は、複数のストリームエントリ１３０９から構成される。複数のストリームエントリ１３０９のそれぞれは、ストリーム選択番号１３０６、ストリームパス情報１３０７、およびストリーム識別情報１３０８から構成される。
【００８３】
ストリーム選択番号１３０６は、ストリーム選択テーブルに含まれるストリームエントリ１３０９の先頭から順にインクリメントされる番号であり、再生装置がストリームを識別するために利用される番号である。
【００８４】
ストリームパス情報１３０７は、ストリーム識別情報１３０８によって示されるストリームが、どのＡＶクリップに多重化されているかを示す情報である。ストリームパス情報１３０７は、例えば“メインパス”であれば、該当するプレイアイテムのＡＶクリップを示し、“サブパスＩＤ＝１”であれば、そのサブパスＩＤが示すサブパスにおいて、該当するプレイアイテムの再生区間に対応するサブプレイアイテムのＡＶクリップを示す。サブパスについては次の節で説明する。
【００８５】
ストリーム識別情報１３０８は、ＰＩＤなどの情報であり、参照するＡＶクリップに多重化されているストリームを示す。また、ストリームエントリ１３０９には、各ストリームの属性情報も同時に記録されている。ここで各ストリームの属性情報とは、対応するストリームの性質を示す情報で、例えばオーディオ、プレゼンテーショングラフィックス、またはインタラクティブグラフィックスの場合には、言語属性などが含まれる。
【００８６】
次に、サブパスを含むプレイリストについて説明する。図１４は、サブパスを含むプレイリストの内部構成を示す図である。
【００８７】
プレイリストは、図１４に示すように１つ以上のサブパスを有することができる。サブパスには、プレイリストに登録される順にサブパスＩＤとしてのＩＤが付与される。サブパスＩＤは、サブパスを識別するために使われる。サブパスは、メインパスと同期して再生される一連の再生経路を示す。サブプレイアイテムは、プレイアイテムと同様に再生するクリップ情報１３０１、再生開始時刻１３０２および再生終了時刻１３０３を有する。サブプレイアイテムの再生開始時刻１３０２および再生終了時刻１３０３は、メインパスと同じ時間軸で表される。例えば、プレイアイテム＃２のストリーム選択テーブル１３０５に登録されているあるストリームエントリ１３０９が、サブパスＩＤ＝０でプレゼンテーショングラフィックス１を示す場合は、サブパスＩＤ＝０のサブパスの中で、プレイアイテム＃２の再生区間に同期して再生するサブプレイアイテム＃２のＡＶクリップの中に多重化されるプレゼンテーショングラフィックス１が、プレイアイテム＃２再生区間に再生されることになる。また、サブプレイアイテムには、プレイアイテムのコネクションコンディションと同じ意味を持つＳＰコネクションコンディションというフィールドが存在する。ＳＰコネクションコンディションが「５」もしくは「６」のサブプレイアイテム境界のＡＶクリップは、コネクションコンディション「５」もしくは「６」と同じ上記条件を守る必要がある。
【００８８】
以上が、本開示にかかる記録媒体であるＢＤ−ＲＯＭの、２Ｄ映像を格納するためのデータ構造である。
【００８９】
続いて、本開示にかかる２Ｄ映像を格納するＢＤ−ＲＯＭを再生する再生装置（２Ｄ再生装置）について説明する。
【００９０】
図１５は、再生装置の内部構成を示す図である。２Ｄの再生装置１５００は、ＢＤ−ＲＯＭドライブ１５０１、リードバッファ１５０２、システムターゲットデコーダ１５０３、プログラムメモリ１５０４、管理情報メモリ１５０５、プログラム実行部１５０６、再生制御部１５０７、プレーヤ変数１５０８、ユーザイベント処理部１５０９およびプレーン加算部１５１０から構成されている。
【００９１】
ＢＤ−ＲＯＭドライブ１５０１は、再生制御部１５０７からの要求を元にＢＤ−ＲＯＭディスクから各種データを読み出す。ＢＤ−ＲＯＭディスクから読み出されたＡＶクリップはリードバッファ１５０２に、ＩＮＤＥＸファイル、プレイリストファイル、およびクリップ情報ファイルは管理情報メモリ１５０５に、ＢＤプログラムファイルはプログラムメモリ１５０４に、それぞれ転送される。
【００９２】
リードバッファ１５０２は、ＢＤ−ＲＯＭドライブを使って読み出したデータを、管理情報メモリ１５０５はＩＮＤＥＸファイル、プレイリストファイルおよびクリップ情報ファイルの管理情報を、プログラムメモリ１５０４は、ＢＤプログラムファイルを、それぞれ格納する。リードバッファ１５０２、管理情報メモリ１５０５およびプログラムメモリ１５０４のそれぞれは、メモリ等で構成されたバッファである。
【００９３】
システムターゲットデコーダ１５０３は、リードバッファ１５０２に読み出されたソースパケットに対して多重分離処理を行い、ストリームのデコード処理を行う。システムターゲットデコーダ１５０３は、ＡＶクリップに含まれるストリームのデコードに必要な、コーデック種類やストリーム属性などの情報を再生制御部１５０７から取得する。システムターゲットデコーダ１５０３は、デコードした主ビデオストリーム、副映像ビデオストリーム、インタラクティブグラフィックスストリームおよびプレゼンテーショングラフィックスストリームを、それぞれのプレーンメモリである主映像プレーン、副映像プレーン、インタラクティブグラフィックスプレーン（ＩＧプレーン）およびプレゼンテーショングラフィックスプレーン（ＰＧプレーン）に書き出す。また、システムターゲットデコーダ１５０３は、デコードした主音声ストリームおよび副音声ストリームをミキシングし、ミキシングした結果をスピーカなどに出力する。また、システムターゲットデコーダ１５０３は、プログラム実行部１５０６から転送される、メニューなどに表示するためのＪＰＥＧ、ＰＮＧなどのグラフィックスデータをデコードして、イメージプレーンに書き出す処理を行う。システムターゲットデコーダ１５０３の詳細については後述する。
【００９４】
ユーザイベント処理部１５０９は、リモコンを通じたユーザ操作に応答して、プログラム実行部１５０６や再生制御部１５０７に処理の実行を依頼する。例えば、リモコンでボタンを押した場合は、そのボタンに含まれるコマンドを実行するようプログラム実行部１５０６に依頼する。例えば、リモコンで早送りボタンまたは巻戻しボタンが押された場合には、再生制御部１５０７に、現在再生しているプレイリストのＡＶクリップに対する早送り処理または巻戻し処理の実行を命令する。
【００９５】
再生制御部１５０７は、ＢＤ−ＲＯＭドライブ１５０１およびシステムターゲットデコーダ１５０３を制御して、ＡＶクリップの再生を制御する。再生制御部１５０７は、プログラム実行部１５０６からの再生命令や、ユーザイベント処理部１５０９からの通知に基づき、プレイリスト情報を解釈してＡＶクリップの再生処理を制御する。また、再生制御部１５０７は、プレーヤ変数１５０８の設定や参照を行い、再生動作を行う。
【００９６】
プレーヤ変数１５０８には、再生装置の状態を示すシステムパラメータ（ＳＰＲＭ）と、一般用途として使用可能なゼネラルパラメータ（ＧＰＲＭ）とがある。
【００９７】
図１６はシステムパラメータ（ＳＰＲＭ）の一覧である。
【００９８】
ＳＰＲＭ（０）      ：  言語コード
ＳＰＲＭ（１）      ：  主音声ストリーム番号
ＳＰＲＭ（２）      ：  字幕ストリーム番号
ＳＰＲＭ（３）      ：  アングル番号
ＳＰＲＭ（４）      ：  タイトル番号
ＳＰＲＭ（５）      ：  チャプタ番号
ＳＰＲＭ（６）      ：  プログラム番号
ＳＰＲＭ（７）      ：  セル番号
ＳＰＲＭ（８）      ：  選択キー情報
ＳＰＲＭ（９）      ：  ナビゲーションタイマー
ＳＰＲＭ（１０）    ：  再生時刻情報
ＳＰＲＭ（１１）    ：  カラオケ用ミキシングモード
ＳＰＲＭ（１２）    ：  パレンタル用国情報
ＳＰＲＭ（１３）    ：  パレンタルレベル
ＳＰＲＭ（１４）    ：  プレーヤ設定値（ビデオ）
ＳＰＲＭ（１５）    ：  プレーヤ設定値（オーディオ）
ＳＰＲＭ（１６）    ：  音声ストリーム用言語コード
ＳＰＲＭ（１７）    ：  音声ストリーム用言語コード（拡張）
ＳＰＲＭ（１８）    ：  字幕ストリーム用言語コード
ＳＰＲＭ（１９）    ：  字幕ストリーム用言語コード（拡張）
ＳＰＲＭ（２０）    ：  プレーヤリージョンコード
ＳＰＲＭ（２１）    ：  副映像ストリーム番号
ＳＰＲＭ（２２）    ：  副音声ストリーム番号
ＳＰＲＭ（２３）    ：  再生状態
ＳＰＲＭ（２４）    ：  ３Ｄ映像再生能力
ＳＰＲＭ（２５）    ：  ＨＤＲ映像・グラフィックス再生能力
ＳＰＲＭ（２６）    ：  ＨＤＲ表示能力
ＳＰＲＭ（２７）    ：  ＨＤＲ出力モード
ＳＰＲＭ（２８）    ：  ＨＤＲ出力プレファレンス
ＳＰＲＭ（２９）    ：  予備
ＳＰＲＭ（３０）    ：  予備
ＳＰＲＭ（３１）    ：  予備
ＳＰＲＭ（３２）    ：  予備
【００９９】
ＳＰＲＭ（１０）は、ＡＶクリップに属する各ピクチャデータが表示される度に更新される。つまり再生装置が新たなピクチャデータを表示させれば、その新たなピクチャデータの表示時刻（ＰＴＳ）を示す値にＳＰＲＭ（１０）は更新される。このＳＰＲＭ（１０）を参照すれば、現在の再生時点を知得することができる。
【０１００】
ＳＰＲＭ（１６）の音声ストリーム用言語コードやＳＰＲＭ（１８）の字幕ストリーム用言語コードは、再生装置のＯＳＤなどで設定できる項目であり、再生装置のデフォルトの言語コードを示す。例えば、ＳＰＲＭ（１６）の音声ストリーム用言語コードが英語であれば、プレイリストを再生する上で、プレイアイテムのストリーム選択テーブルの中から同じ言語コードを持つストリームエントリを探し出し、その音声ストリームを選択して再生するといった機能をＢＤプログラムファイルに入れることができる。
【０１０１】
ＳＰＲＭ（２５）は、システムターゲットデコーダ１５０３がＨＤＲ画質の主ビデオストリームをデコード可能であるか否かを示す情報を含む。また、プログラム実行部１５０６から転送されるＪＰＥＧ、ＰＮＧなどのグラフィックスデータをＨＤＲ画質に変換可能であるか否かを示す情報を含む。
【０１０２】
ＳＰＲＭ（２６）は、再生装置に接続されているテレビなどの表示装置がＨＤＲ映像を表示可能であるか否かを示す情報を含む。
【０１０３】
ＳＰＲＭ（２７）は、再生装置が、接続されている表示装置に対してプレーン加算部１５１０から出力される表示データをＨＤＲ画質で出力するか、ＳＤＲ画質で出力するかの状態を示す情報を含む。
【０１０４】
ＳＰＲＭ（２８）は、再生装置がＨＤＲ画質で出力することを優先するか、あるいはＳＤＲ画質で出力することを優先するかどうかのユーザ嗜好情報を含む。
【０１０５】
また、再生制御部１５０７は、システムパラメータの状態をチェックしながら再生する。また、ＳＰＲＭ（１）、ＳＰＲＭ（２）、ＳＰＲＭ（２１）およびＳＰＲＭ（２２）は、それぞれ音声ストリーム番号、字幕ストリーム番号、副映像ストリームおよび副音声ストリームの番号を示し、これらの値は、前述したストリーム選択番号１３０６に対応する。例えば、プログラム実行部１５０６によって、音声ストリーム番号ＳＰＲＭ（１）が変更されたとする。再生制御部１５０７は、現在再生しているプレイアイテムのストリーム選択テーブル１３０５の中から、ストリーム選択番号１３０６と比較して、一致するストリームエントリ１３０９を参照し、再生する音声ストリームを切り替える。このようにしてどの音声ストリーム、どの字幕ストリーム、どの副映像ストリームを再生するかどうかを切り替える。
【０１０６】
プログラム実行部１５０６は、ＢＤプログラムファイルに格納されたプログラムを実行するプロセッサである。プログラム実行部１５０６は、格納されたプログラムに従って動作を行い、次のような制御を行う。
【０１０７】
（１）再生制御部１５０７に対してプレイリスト再生を命令する。
【０１０８】
（２）システムターゲットデコーダに対してメニューやゲームのグラフィックスのためのＰＮＧ・ＪＰＥＧを転送して画面に表示する。
【０１０９】
これらの制御はプログラムの作りに応じて自由に行うことができ、どのように制御するかは、オーサリング工程によるＢＤプログラムファイルのプログラミング工程によって決まる。
【０１１０】
プレーン加算部１５１０は、主映像プレーン、副映像プレーン、インタラクティブグラフィックスプレーン、プレゼンテーショングラフィックスプレーン、およびイメージプレーンを瞬時に重畳し、ＴＶなどの画面に表示する。
【０１１１】
次に、図１７を参照しながらシステムターゲットデコーダ１５０３について説明する。図１７は、システムターゲットデコーダの内部構成の詳細を示す図である。
【０１１２】
ＣＬＯＣＫ１７１２は、例えば、周波数が２７（ＭＨｚ）のクロック信号をＡＴＣカウンタ１７１１へ供給する。ＡＴＣカウンタ１７１１は、ＣＬＯＣＫ１７１２から供給されるクロック信号に基づいてＡＴＣの値を生成する。
【０１１３】
ソースデパケタイザ１７１０は、システムターゲットデコーダ１５０３に転送されるソースパケットを解釈し、ＴＳパケットを取り出しＰＩＤフィルタに送出する。この送出にあたって、ソースデパケタイザ１７１０は、各ソースパケットのＡＴＳに応じてデコーダへの入力時刻を調整する。
【０１１４】
具体的には、ソースデパケタイザ１７１０は、ＡＴＣカウンタ１７１１が生成するＡＴＣの値と、ソースパケットのＡＴＳ値とが同一になった瞬間に、ＡＶクリップの記録レートに従って、そのＴＳパケットだけをＰＩＤフィルタに転送する。
【０１１５】
ＰＩＤフィルタ１７１４は、ソースデパケタイザ１７１０から出力されたＴＳパケットのうち、ＴＳパケットのＰＩＤが再生に必要とされるＰＩＤに一致するものを、ＰＩＤに従って、主映像ビデオデコーダ１７００、副映像ビデオデコーダ１７２０、ＩＧデコーダ１７４０、ＰＧデコーダ１７３０、主音声デコーダ１７５０および副音声デコーダ１７６０に転送する。例えば、ＢＤ−ＲＯＭの場合には、ＰＩＤフィルタは、ＴＳパケットに含まれるＰＩＤが０ｘ１０１１である場合は主映像ビデオデコーダ１７００に、ＰＩＤが０ｘ１Ｂ００から０ｘ１Ｂ１Ｆである場合は副映像ビデオデコーダ１７２０に、ＰＩＤが０ｘ１１００から０ｘ１１１Ｆである場合は主音声デコーダ１７５０に、ＰＩＤが０ｘ１Ａ００から０ｘ１Ａ１Ｆである場合は副音声デコーダ１７６０に、ＰＩＤが０ｘ１２００から０ｘ１２１Ｆである場合はＰＧデコーダ１７３０に、ＰＩＤが０ｘ１４００から０ｘ１４１Ｆである場合はＩＧデコーダ１７４０に転送する。
【０１１６】
ＣＬＯＣＫ１７１６は、例えば、周波数が２７（ＭＨｚ）のクロック信号をＳＴＣ１７１５へ供給する。ＳＴＣ１７１５は、ＣＬＯＣＫ１７１６から供給されるクロック信号に基づいて、上述の対応するデコーダのデコードに係る時間（ＰＴＳおよびＤＴＳ）の時間軸であるＳＴＣ（Ｓｙｓｔｅｍ  Ｔｉｍｅ  Ｃｌｏｃｋ）を保持する。ＴＳパケットのＰＩＤがＰＣＲのＰＩＤに一致するとき、ＳＴＣ１７１５は、ＰＩＤフィルタ１７１４からＰＣＲに含まれるＳＴＣ時間の情報を供給されると、ＡＴＣ時間との同期が取られる。上述の対応するデコーダは、ＳＴＣ１７１５が保持するＳＴＣ時間を参照してデコードのタイミングを制御する。
【０１１７】
主映像ビデオデコーダ１７００は、ＴＢ（Ｔｒａｎｓｐｏｒｔ  Ｓｔｒｅａｍ  Ｂｕｆｆｅｒ）１７０１、ＭＢ（Ｍｕｌｔｉｐｌｅｘｉｎｇ  Ｂｕｆｆｅｒ）１７０２、ＥＢ（Ｅｌｅｍｅｎｔａｒｙ  ＳｔｒｅａｍＢｕｆｆｅｒ）１７０３、圧縮映像デコーダ１７０４およびＤＰＢ（Ｄｅｃｏｄｅｄ  Ｐｉｃｔｕｒｅ  Ｂｕｆｆｅｒ）１７０５から構成される。
【０１１８】
ＴＢ１７０１は、ビデオストリームを含むＴＳパケットがＰＩＤフィルタから出力された際、ＴＳパケットをそのまま一旦蓄積するバッファである。
【０１１９】
ＭＢ１７０２は、ＴＢ１７０１からＥＢ１７０３にビデオストリームを出力するにあたって、一旦ＰＥＳパケットを蓄積しておくためのバッファである。ＴＢ１７０１からＭＢ１７０２にデータが転送される際に、ＴＳパケットのＴＳヘッダは取り除かれる。
【０１２０】
ＥＢ１７０３は、符号化状態にあるピクチャ（Ｉピクチャ、ＢピクチャおよびＰピクチャ）が格納されるバッファである。ＭＢ１７０２からＥＢ１７０３にデータが転送される際にＰＥＳヘッダが取り除かれる。
【０１２１】
圧縮映像デコーダ１７０４は、ビデオエレメンタリストリームの個々のビデオアクセスユニットを所定の復号時刻（ＤＴＳ）に従ってデコードすることにより、フレーム／フィールド画像を作成する。ＡＶクリップに多重化されるビデオストリームの圧縮符号化形式にはＭＰＥＧ２、ＭＰＥＧ４ＡＶＣ、ＶＣ１などがあるため、ストリームの属性に応じて、圧縮映像デコーダ１７０４のデコード方法は切り替えられる。圧縮映像デコーダ１７０４は、デコードされたフレーム／フィールド画像をＤＰＢ１７０５に転送し、表示時刻（ＰＴＳ）のタイミングで対応するフレーム／フィールド画像を主映像プレーン１７０８に書き出す。
【０１２２】
ＤＰＢ１７０５は、復号されたフレーム／フィールド画像を一時的に保持しておくバッファである。ＤＰＢ１７０５は、圧縮映像デコーダ１７０４が、ピクチャ間予測符号化されたＰピクチャやＢピクチャなどをビデオアクセスユニットごとにデコードする際に、既にデコードされたピクチャを参照するために利用するバッファである。
【０１２３】
副映像ビデオデコーダ１７２０は、主映像ビデオデコーダ１７００と同様の構成を有し、入力される副映像ビデオストリームのデコードを行い、表示時刻（ＰＴＳ）のタイミングでピクチャを副映像プレーン１７２５に書き出す。
【０１２４】
ＰＧデコーダ１７３０は、ソースデパケタイザ１７１０から入力されるＴＳパケットからプレゼンテーショングラフィックスストリームを抽出してデコードし、非圧縮のグラフィックスデータを表示時刻（ＰＴＳ）のタイミングでＰＧプレーン１７３５に書き出す。
【０１２５】
ＩＧデコーダ１７４０は、ソースデパケタイザ１７１０から入力されるＴＳパケットからインタラクティブグラフィックスストリームを抽出してデコードし、非圧縮のグラフィックスデータを表示時刻（ＰＴＳ）のタイミングでＩＧプレーン１７４５に書き出す。
【０１２６】
主音声デコーダ１７５０は、緩衝バッファを有し、バッファにデータを蓄えながら、ＴＳヘッダ、ＰＥＳヘッダなどの情報を取り除いて、音声ストリームのデコード処理を行うことで非圧縮のＬＰＣＭ状態のオーディオデータを得る。主音声デコーダは、得られたオーディオデータを再生時刻（ＰＴＳ）のタイミングで音声ミキサー１７６５に出力する。ＡＶクリップに多重化されるオーディオストリームの圧縮符号化形式には、ＡＣ３、ＤＴＳなどがあるため、主音声デコーダは、ストリームの属性に応じて、圧縮音声の復号化方式を切り替えてデコード処理を行う。
【０１２７】
副音声デコーダ１７６０は、主音声デコーダ１７５０と同様の構成を持ち、入力される副音声ストリームのデコード処理を行い、表示時刻のタイミングでデコード処理により得られた非圧縮のＬＰＣＭの状態のオーディオデータを音声ミキサー１７６５に出力する。ＡＶクリップに多重化されるオーディオストリームの圧縮符号化形式には、ＤｏｌｂｙＤｉｇｉｔａｌＰｌｕｓ、ＤＴＳ−ＨＤ  ＬＢＲなどがあるため、副音声デコーダ１７６０は、ストリームの属性に応じて、圧縮音声の復号化方式を切り替えてデコード処理を行う。
【０１２８】
音声ミキサー１７６５は、主音声デコーダから出力される非圧縮音声データと副音声デコーダから出力される非圧縮音声データとをミキシング（音の重ね合わせ）してスピーカなどに出力する。
【０１２９】
イメージプロセッサ１７７０は、プログラム実行部１５０６から転送されるグラフィックスデータ（ＰＮＧ・ＪＰＥＧ）をデコードして、プログラム実行部１５０６から指定される表示時刻にしたがって、イメージプレーン１７７５に出力する。
【０１３０】
以上が本開示にかかる２Ｄ再生装置の構成である。
【０１３１】
＜ＨＤＲ映像を含むデータの再生＞
次に、図１８を用いて、映像コンテンツの高ダイナミックレンジについて説明する。図１８は、輝度レベルの標準ダイナミックレンジおよび高ダイナミックレンジの関係を示す図である。
【０１３２】
従来のビデオデータでは、１ピクチャ中の１画素は、８ビットの輝度情報と８ビット×２つの色彩情報とによって表現される。特に輝度情報は、ＬＥＤディスプレイやプラズマディスプレイなどの表示装置が発光することができる輝度レベルと対応づけられた情報であり、図１８の（Ａ）に示す対応関係は、８ビットのビットコード値と輝度レベルとが対応付けられた関係を示す。デコードされた映像信号の各画素の輝度情報は、図１８の（Ａ）の輝度信号変換関係（ＥＯＴＦ）で表示装置において輝度レベルに変換されて発光される。従来、ＥＯＴＦは、従来の表示装置の標準的な発光性能から、輝度レベルの上限を１００〔ｎｉｔ〕として、この輝度レベルの範囲において、輝度レベルと８ビットのビットコード値信号とが対応づけられている。図１８の（Ａ）に示すＥＯＴＦによって表現される映像コンテンツを標準ダイナミックレンジ（ＳＤＲ）映像と呼ぶ。
【０１３３】
これに対して、表示装置の発光性能の進歩によって輝度レベルを１００〔ｎｉｔ〕以上のさらに高いレベルまで発光することができるようになり、従来よりも高輝度領域において幅広い輝度レベルで映像を表示することができるようになった。これにより、図１８の（Ｂ）に示すＥＯＴＦのように、と図１８の（Ａ）よりも高い輝度レベル（例えば１００００〔ｎｉｔ〕）までの幅広い輝度レベルの範囲において、輝度レベルと１０ビットのビットコード値信号とが対応づけられたＥＯＴＦが考案された。図１８の（Ｂ）のＥＯＴＦを利用して表現される映像コンテンツを高ダイナミックレンジ（ＨＤＲ）映像と呼ぶ。
【０１３４】
ＨＤＲ映像に対応したＥＯＴＦ（以下、「ＨＤＲのＥＯＴＦ」と言う。）は、図１８の（Ｂ）で示される曲線が唯一のものではなく、輝度レベルの上限値、割り当てるビットコード値の長さ、変換方式などに応じて異なっていてもよい。つまり、ＨＤＲのＥＯＴＦの曲線の形は、種々存在する。
【０１３５】
例えば、図１８の（Ａ）に示す、ＳＤＲ映像に対応したＥＯＴＦ（以下、「ＳＤＲのＥＯＴＦ」と言う。）では、ビットコード値Ｘ１からＹ１までの値によって輝度レベルＬ１から１００までが１対１に対応づけられている。これに対して、図１８の（Ｂ）に示すＨＤＲのＥＯＴＦでは、ビットコード値Ｘ２からＹ２までの値が輝度レベルＬ１から１００までの値に１対１に対応づけられているとする。このとき、Ｘ２からＹ２までのＨＤＲのＥＯＴＦが、ＳＤＲのＥＯＴＦと同じ曲線を描くならば、図１８の（Ｂ）に示すＨＤＲのＥＯＴＦで表現されたＨＤＲ映像コンテンツは、ＳＤＲ映像の表示能力である表示装置に入力されたとしても、変換されることなく、ＳＤＲ映像として表示される。すなわち、ＳＤＲのＥＯＴＦを利用して、ＳＤＲのＥＯＴＦに高輝度レベルの情報を拡張することにより得られたＨＤＲのＥＯＴＦで描かれた映像コンテンツは、ＨＤＲでも表示できるＳＤＲ映像であるので、ＨＤＲ互換のＳＤＲ映像と呼ぶ。
【０１３６】
＜ＨＤＲ映像ストリームの有無を示すフラグ＞
ここで、再生装置が記録媒体（例えばＢＤ）に記録されたビデオストリームを含むデータを読み出して再生する場合を考える。
【０１３７】
記録媒体には、１以上のビデオストリームが記録されている。この１以上のビデオストリームは、例えば、ＨＤＲに対応したＨＤＲストリーム（ＨＤＲビデオストリーム）と、ＳＤＲに対応したＳＤＲストリーム（ＳＤＲビデオストリーム）との少なくとも一方を含む。また、記録媒体には、上述したように、プレイリストファイルが記録されている。
【０１３８】
プレイリストファイルは、記録媒体（例えばＢＤ）に記録されているＡＶクリップを再生するときに、再生するＡＶクリップ中にどのようなビデオストリームが含まれるか否かを示す識別情報を含む。識別情報は、具体的には、記録媒体に記録されている１以上のビデオストリームにＨＤＲストリームが含まれているか否かを示す。また、識別情報は、記録媒体に記録されている１以上のビデオストリームに、ＳＤＲストリームが含まれているか否かを示していてもよい。また、識別情報は、記録媒体に記録されている１以上のビデオストリームに、ＨＤＲ１ビデオ（後述参照）に対応するＨＤＲビデオストリームが含まれているか否かを示していてもよいし、ＨＤＲ２ビデオ（後述参照）に対応するＨＤＲビデオストリームが含まれているか否かを示していてもよいし、ＨＤＲ３ビデオ（後述参照）に対応するＨＤＲビデオストリームが含まれているか否かを示していてもよいし、ＳＤＲ１ビデオ（後述参照）に対応するＳＤＲビデオストリームが含まれているか否かを示していてもよいし、ＳＤＲ２ビデオ（後述参照）に対応するＳＤＲビデオストリームが含まれているか否かを示していてもよい。なお、識別情報は、記録媒体に記録されていればよく、プレイリストファイルに含まれていなくてもよい。
【０１３９】
図１９は、プレイリストファイルのデータ構成の詳細を示す図である。
【０１４０】
図１９に示すように、プレイリスト内のプレイリスト情報に主映像であるビデオストリームの存在有無を示す識別情報として、ｉｓ＿ＨＤＲ１、ｉｓ＿ＨＤＲ２、ｉｓ＿ＨＤＲ３、ｉｓ＿ＳＤＲ１およびｉｓ＿ＳＤＲ２がある。
【０１４１】
ｉｓ＿ＨＤＲ１は、プレイリスト内に、必須のＨＤＲ技術を利用したＨＤＲビデオ１に対応するＨＤＲビデオストリームが存在するか否かを示す識別情報である。
【０１４２】
ｉｓ＿ＨＤＲ２は、プレイリスト内に、第１のオプションＨＤＲ技術（第１のＨＤＲ技術）を利用したＨＤＲビデオ２に対応するＨＤＲビデオストリームが存在するか否かを示す識別情報である。
【０１４３】
ｉｓ＿ＨＤＲ３は、第１のオプションＨＤＲ技術とは異なる第２のオプションＨＤＲ技術（第２のＨＤＲ技術）を利用したＨＤＲビデオ３に対応するＨＤＲビデオストリームが存在するか否かを示す識別情報である。
【０１４４】
ｉｓ＿ＳＤＲ１は、ＨＤＲ互換のＳＤＲ映像（ＳＤＲ１ビデオ）のビデオストリームが存在するか否かを示す識別情報である。
【０１４５】
ｉｓ＿ＳＤＲ２は、ＨＤＲ非互換のＳＤＲ映像（ＳＤＲ２ビデオ）のビデオストリームが存在するか否かを示す識別情報である。
【０１４６】
プレイリストには、１以上の主ビデオストリームを含むことができる。よって、上述した存在有無を示す識別情報とは別に、プレイリストに含まれる主ビデオストリームの組合せを示す情報（ｖｉｄｅｏ＿ｃｏｍｂｉｎａｔｉｏｎ＿ｔｙｐｅ）が記録されていてもよい。
【０１４７】
プレイリストに存在し得る主ビデオストリームには、用いられる技術の性格上からいくつかのパターンに限定される場合があってもよい。
【０１４８】
一例として、以下の２点の制約を満たすパターンに限定してもよい。
【０１４９】
（１）第１または第２のオプションＨＤＲ技術を利用したＨＤＲビデオストリームは、当該ＨＤＲビデオストリームを再生するために必須のＨＤＲビデオストリームも必要とする。このため、当該ＨＤＲビデオストリームは、単体では存在せず、必ず必須のＨＤＲ技術のＨＤＲビデオストリームがなければならない。
【０１５０】
（２）ＳＤＲビデオストリームは、ＨＤＲ互換のＳＤＲビデオストリームか、ＨＤＲ非互換のＳＤＲビデオストリームのいずれか一方だけで十分である。このため、プレイリストは、これらのＳＤＲビデオストリームの両方を含むことはできない。
【０１５１】
以上のような制約があった場合には、図２０に示すように１４の組合せパターンに限定される。図２０は、プレイリスト内の主ビデオの組み合わせパターンを示す図である。
【０１５２】
再生装置は、再生装置自身の再生能力、および、再生装置に接続される表示装置の表示能力に応じて、プレイリストに含まれる１以上の主ビデオストリームの中から再生する主ビデオストリームを決定する。なお、１以上の主ビデオストリームは、それぞれ同一の映像コンテンツのビデオストリームである。再生装置は、再生する主ビデオストリームを決定するために再生装置の再生能力を示す再生能力情報と、表示装置の表示能力を示す表示能力情報を取得し、プレーヤ変数１５０８に保持している。
【０１５３】
ＳＰＲＭ（２５）は、再生装置の再生能力を示す再生能力情報である。ＳＰＲＭ（２５）は、再生装置が必須のＨＤＲ技術を利用したＨＤＲビデオストリームをデコードできるか否かを示す情報と、再生装置が第１のオプションＨＤＲ技術を利用したＨＤＲビデオストリームをデコードできるか否かを示す情報と、再生装置が第２のオプションＨＤＲ技術を利用したＨＤＲビデオストリームをデコードできるか否かを示す情報とを保持している。また、ＳＰＲＭ（２５）は、再生装置がＳＤＲ技術で描かれたグラフィックスデータをＨＤＲビデオストリームに重ねて表示できるようにＨＤＲ変換することができるか否かを示す情報も保持している。
【０１５４】
ＳＰＲＭ（２６）は、表示装置の表示能力を示す表示能力情報である。ＳＰＲＭ（２６）は、再生装置に接続されている表示装置が、ＨＤＲ技術を利用したＨＤＲビデオストリームをＨＤＲ映像として表示することができるか否かを示す情報を保持している。ＳＰＲＭ（２６）は、再生装置に接続されている表示装置が必須のＨＤＲ技術を利用したＨＤＲストリームを表示できるか否かを示す情報と、当該表示装置が第１のオプションＨＤＲ技術を利用したＨＤＲビデオストリームを表示できるか否かを示す情報と、当該表示装置が第２のオプションＨＤＲ技術を利用したＨＤＲビデオストリームを表示できるか否かを示す情報とを保持している。
【０１５５】
図２１Ａ〜図２１Ｃは、プレイリストに主ビデオストリームが１本のみが存在する場合のデータ構成例を示す図である。
【０１５６】
図２１Ａは、ＨＤＲ映像の主ビデオストリームのみが存在する場合のデータ構成例を示す図である。
【０１５７】
プレイリスト情報においてｉｓ＿ＨＤＲ１が「１」を示しているため、記録媒体に記録されている主ビデオストリームとして必須のＨＤＲ主ビデオストリームが存在すると判定できる。また、ｉｓ＿ＨＤＲ１が「１」であることは、ストリーム選択テーブルに主ビデオが登録されていることを示している。また、前記主ビデオのストリーム属性情報の中には、主ビデオがＨＤＲ映像であるか否かを示すｉｓ＿ＨＤＲが含まれている。当該ｉｓ＿ＨＤＲは「１」を示しているため、主ビデオストリームがＨＤＲ映像であると判定できる。
【０１５８】
図２１Ｂは、プレイリストにＨＤＲ互換のＳＤＲである主ビデオストリームのみが存在する場合のデータ構成例を示す図である。
【０１５９】
プレイリスト情報においてｉｓ＿ＳＤＲ１が「１」を示しているため、記録媒体に記録されている主ビデオストリームとしてＨＤＲ互換のＳＤＲビデオが存在すると判定できる。また、ｉｓ＿ＳＤＲ１が「１」であることは、ストリーム選択テーブルに主ビデオが登録されていることを示している。また、前記主ビデオのストリーム属性情報の中には、主ビデオがＨＤＲ映像であるか否かを示すｉｓ＿ＨＤＲが含まれている。当該ｉｓ＿ＨＤＲは「０」を示しているため、主ビデオストリームがＳＤＲ映像であると判定できる。
【０１６０】
図２１Ｃは、プレイリストにＨＤＲ非互換のＳＤＲである主ビデオストリームのみが存在する場合のデータ構成例を示す図である。
【０１６１】
プレイリスト情報においてｉｓ＿ＳＤＲ２が「１」を示しているため、記録媒体に記録されている主ビデオストリームとしてＨＤＲ互換のＳＤＲビデオが存在すると判定できる。また、ｉｓ＿ＳＤＲ２が「１」であることは、ストリーム選択テーブルに主ビデオが登録されていることを示している。また、前記主ビデオのストリーム属性情報の中には、主ビデオがＨＤＲ映像であるか否かを示すｉｓ＿ＨＤＲが含まれている。当該ｉｓ＿ＨＤＲは「０」を示しているため、主ビデオストリームがＳＤＲ映像であると判定できる。
【０１６２】
図２１Ｄおよび図２１Ｅは、プレイリストにＨＤＲの主ビデオストリームが複数本存する場合のデータ構成例を示す図である。
【０１６３】
図２１Ｄは、プレイリストに、必須のＨＤＲ主ビデオストリームと第１のオプションのＨＤＲ主ビデオストリームとが存在する場合のデータ構成例を示す図である。
【０１６４】
プレイリスト情報に存在するｉｓ＿ＨＤＲ１が「１」を示しているため、記録媒体に記録されている主ビデオストリームとして必須のＨＤＲ主ビデオストリームが存在すると判定できる。また、ｉｓ＿ＨＤＲ１が「１」であることは、ストリーム選択テーブルに主ビデオが登録されていることを示している。また、前記主ビデオのストリーム属性情報の中には、主ビデオがＨＤＲ映像であるか否かを示すｉｓ＿ＨＤＲが含まれている。ｉｓ＿ＨＤＲは「１」を示しているため、主ビデオストリームはＨＤＲ映像であると判定できる。
【０１６５】
また、プレイリスト情報に存在するｉｓ＿ＨＤＲ２が「１」を示しているため、第１のオプションのＨＤＲ主ビデオストリームが存在すると判定できる。また、ｉｓ＿ＨＤＲ２が「１」であることは、ストリーム選択テーブルに登録されている主ビデオに対して、ＨＤＲ映像に拡張するために必要な拡張メタデータが記録されていることを示している。
【０１６６】
拡張メタデータの中には、種別をあらわすＴｙｐｅ情報が含まれており、Ｔｙｐｅ情報は、ＨＤＲビデオ２であることを示している。
【０１６７】
図２１Ｅは、プレイリストに、必須のＨＤＲ主ビデオストリームと第２のオプションのＨＤＲ主ビデオストリームとが存在する場合のデータ構成例を示す図である。
【０１６８】
プレイリスト情報に存在するｉｓ＿ＨＤＲ１が「１」を示しているため、記録媒体に記録されている主ビデオストリームとして必須のＨＤＲ主ビデオストリームが存在すると判定できる。また、ｉｓ＿ＨＤＲ１が「１」であることは、ストリーム選択テーブルに主ビデオが登録されていることを示している。また、前記主ビデオのストリーム属性情報の中には、主ビデオがＨＤＲ映像であるか否かを示すｉｓ＿ＨＤＲが含まれている。ｉｓ＿ＨＤＲは「１」を示しているため、主ビデオストリームはＨＤＲ映像であると判定できる。
【０１６９】
また、プレイリスト情報に存在するｉｓ＿ＨＤＲ３が「１」を示しているため、第２のオプションのＨＤＲ主ビデオストリームが存在すると判定できる。また、ｉｓ＿ＨＤＲ３が「１」であることは、ストリーム選択テーブルに登録されている主ビデオに対して、ＨＤＲ映像に拡張するための拡張ストリームがサブパスで記録されていることを示している。
【０１７０】
サブパスの中には、サブパスの種別を表すＴｙｐｅ情報が含まれており、Ｔｙｐｅ情報は、ＨＤＲビデオ３用の拡張ストリームであることを示している。
【０１７１】
図２１Ｆおよび図２１Ｇは、プレイリストにＨＤＲの主ビデオストリームとＳＤＲの主ビデオストリームとが存在する場合のデータ構成例を示す図である。
【０１７２】
図２１Ｆは、プレイリストに、必須のＨＤＲ主ビデオストリームとＨＤＲ互換のＳＤＲ主ビデオストリームとが存在する場合のデータ構成例を示す図である。
【０１７３】
プレイリスト情報に存在するｉｓ＿ＨＤＲ１が「１」を示しているため、記録媒体に記録されている主ビデオストリームとして必須のＨＤＲ主ビデオストリームが存在すると判定できる。また、ｉｓ＿ＨＤＲ１が「１」であることは、ストリーム選択テーブルに主ビデオが登録されていることを示している。また、前記主ビデオのストリーム属性情報の中には、主ビデオがＨＤＲ映像であるか否かを示すｉｓ＿ＨＤＲが含まれている。ｉｓ＿ＨＤＲは「１」を示しているため、主ビデオストリーム１はＨＤＲ映像であると判定できる。
【０１７４】
一方、プレイリスト情報に存在するｉｓ＿ＳＤＲ１が「１」を示しているため、記録媒体に記録されている主ビデオストリームとしてＨＤＲ互換のＳＤＲビデオが存在すると判定できる。ＨＤＲ互換のＳＤＲビデオは、拡張ストリーム選択テーブルに主映像２ビデオとして登録されている。また、前記主映像２ビデオのストリーム属性情報の中には、主映像２ビデオがＨＤＲ映像であるか否かを示すｉｓ＿ＨＤＲが含まれている。ｉｓ＿ＨＤＲは「０」を示しているため、主ビデオストリーム２はＳＤＲ映像であると判定できる。
【０１７５】
図２１Ｇは、プレイリストに、必須のＨＤＲ主ビデオストリームとＨＤＲ非互換のＳＤＲ主ビデオストリームとが存在する場合のデータ構成例を示す図である。
【０１７６】
プレイリスト情報に存在するｉｓ＿ＨＤＲ１が「１」を示しているため、記録媒体に記録されている主ビデオストリームとして必須のＨＤＲ主ビデオストリームが存在すると判定できる。また、ｉｓ＿ＨＤＲ１が「１」であることは、ストリーム選択テーブルに主ビデオが登録されていることを示している。また、前記主ビデオのストリーム属性情報の中には、主ビデオがＨＤＲ映像であるか否かを示すｉｓ＿ＨＤＲが含まれている。ｉｓ＿ＨＤＲは「１」を示しているため、主ビデオストリーム１はＨＤＲ映像であると判定できる。
【０１７７】
一方、プレイリスト情報に存在するｉｓ＿ＳＤＲ２が「１」を示しているため、記録媒体に記録されている主ビデオストリームとしてＨＤＲ非互換のＳＤＲビデオが存在すると判定できる。ＨＤＲ非互換のＳＤＲビデオは、拡張ストリーム選択テーブルに主映像２ビデオとして登録されている。また、前記主映像２ビデオのストリーム属性情報の中には、主映像２ビデオがＨＤＲ映像であるか否かを示すｉｓ＿ＨＤＲが含まれている。ｉｓ＿ＨＤＲが「０」を示しているため、主ビデオストリーム２はＳＤＲ映像であると判定できる。
【０１７８】
＜主ビデオストリームの選択方法‐ＨＤＭＶ＞
再生制御部１５０７は、記録媒体から読み出されたプレイリストに含まれる主ビデオストリームのうち、再生装置の再生能力と表示装置の表示能力とに応じて、再生する主ビデオストリームを選択（決定）する。
【０１７９】
図２２は、ＡＶ再生モードの場合の、再生する主ビデオストリームの選択（決定）方法を示すフローチャートである。なお、図２２は、グラフィックスがＨＤＭＶにより構成されている場合のフローチャートである。
【０１８０】
まず、再生制御部１５０７は、記録媒体からプレイリストを読み出すと、プレイリスト内に存在する主ビデオストリームが何本登録されているかを判定する（Ｓ１０１）。具体的には、再生制御部１５０７は、プレイリスト内の主ビデオストリームの本数を、プレイリスト情報のｉｓ＿ＨＤＲ１、ｉｓ＿ＨＤＲ２、ｉｓ＿ＨＤＲ３、ｉｓ＿ＳＤＲ１およびｉｓ＿ＳＤＲ２の値から各種類の主ビデオストリームの有無を判定することによって特定する。
【０１８１】
再生制御部１５０７は、プレイリストに登録されている主ビデオストリームが１本のみであると判定した場合（Ｓ１０１で「１本」）、登録されている唯一の主ビデオストリームを再生するビデオストリームとして選択（決定）し、プレイリスト内にあるｉｓ＿ＨＤＲ１が「１」であるか否かを判定する（Ｓ１０２）。つまり、ステップＳ１０２では、プレイリストにＳＤＲビデオストリームが唯一登録されているか否かを判定している。
【０１８２】
再生制御部１５０７は、ｉｓ＿ＨＤＲ１が「１」であると判定した場合（Ｓ１０２でＹｅｓ）、再生するビデオストリームとしてＨＤＲ１ビデオを選択する（Ｓ１０４）。なお、この場合、主ビデオストリームが１本であり、かつ、ＨＤＲビデオストリームであることが特定できるため、主ビデオストリームは、必須のＨＤＲであるＨＤＲ１ビデオであると判定できる。
【０１８３】
再生制御部１５０７は、ｉｓ＿ＨＤＲ１が「０」であると判定した場合（Ｓ１０２でＮｏ）、ｉｓ＿ＳＤＲ１が「１」であるか否かを判定する（Ｓ１０３）。
【０１８４】
再生制御部１５０７は、ｉｓ＿ＳＤＲ１が「１」であると判定した場合（Ｓ１０３でＹｅｓ）、再生するビデオストリームとしてＳＤＲ１ビデオを選択する（Ｓ１０５）。なお、この場合、ｉｓ＿ＳＤＲ１が「１」であるため、主ビデオはＨＤＲ互換のＳＤＲビデオであると判定できる。
【０１８５】
再生制御部１５０７は、ｉｓ＿ＳＤＲ１が「０」であると判定した場合（Ｓ１０３でＮｏ）、再生するビデオストリームとして、ＳＤＲ２ビデオを選択する（Ｓ１０６）。なお、この場合、主ビデオストリームが１本であり、かつ、ｉｓ＿ＨＤＲ１が「０」であり、かつ、ｉｓ＿ＳＤＲ１が「０」であるため、主ビデオはＨＤＲ非互換のＳＤＲビデオであると判定できる。
【０１８６】
ステップＳ１０５およびステップＳ１０６では、ステップＳ１０２でプレイリストにＳＤＲビデオストリームが唯一登録されていると判定されたため、ＳＤＲビデオストリームを選択している。
【０１８７】
再生制御部１５０７は、プレイリストに登録されている主ビデオストリームが２本以上あると判定した場合（Ｓ１０１で「２本以上」）、再生装置に接続されている表示装置がＨＤＲ映像を表示できるか否かを判定する（Ｓ１０７）。具体的には、再生制御部１５０７は、プレーヤ変数１５０８として保持しているＳＰＲＭ（２６）が「１」であるか否かを判定する。なお、再生制御部１５０７は、ＳＰＲＭ（２６）が「１」であると判定した場合、表示装置がＨＤＲ映像を表示できると判定でき、ＳＰＲＭ（２６）が「０」であると判定した場合、表示装置がＨＤＲ映像を表示できないと判定できる。ステップＳ１０７の判定終了後、再生制御部１５０７は、プレイリストに存在する主ビデオストリームを調べる。
【０１８８】
ここで、複数のＨＤＲ映像があり、かつ、表示装置がＨＤＲ映像を表示可能である場合、再生装置は、再生可能および表示可能なＨＤＲ映像のうち、高精細なＨＤＲ映像を優先して選択し、選択したＨＤＲ映像を再生することが望ましい。ここでは、ＨＤＲ映像の高精細さは、ＨＤＲビデオ３、ＨＤＲビデオ２、ＨＤＲビデオ１の順番で高い場合を考える。本実施の形態では、複数のＨＤＲ映像があると判定した場合、ＨＤＲビデオ３、ＨＤＲビデオ２の順で再生可能および表示可能か否かを判定し、初めに再生可能および表示可能であると判定したＨＤＲビデオを選択するが、選択方法はこれに限らない。つまり、再生する主ビデオストリームの選択では、再生装置で再生でき、かつ、表示装置で表示できる映像ストリームが２以上ある場合、当該２以上の映像ストリームのうちで、予め定められた優先度が高い映像ストリームを選択すればよい。
【０１８９】
再生制御部１５０７は、再生装置に接続されている表示装置がＨＤＲ映像を表示できると判定した場合（Ｓ１０７でＹｅｓ）、プレイリスト内にＨＤＲビデオ３が存在し、かつ、再生装置がＨＤＲビデオ３を再生する能力があるか否かを判定する（Ｓ１０８）。具体的には、再生制御部１５０７は、ｉｓ＿ＨＤＲ３が「１」であり、かつ、ＳＰＲＭ（２５）が「ＨＤＲビデオ３をデコード可」を示しているか否かを判定する。
【０１９０】
再生制御部１５０７は、プレイリスト内にＨＤＲビデオ３が存在し、かつ、再生装置がＨＤＲビデオ３を再生する能力があると判定した場合（Ｓ１０８でＹｅｓ）、再生するビデオストリームとしてＨＤＲ３ビデオを選択する（Ｓ１１２）。
【０１９１】
再生制御部１５０７は、プレイリスト内にＨＤＲビデオ３が存在しない、または、再生装置がＨＤＲビデオ３を再生する能力がないと判定した場合（Ｓ１０８でＮｏ）、プレイリスト内にＨＤＲビデオ２が存在し、かつ、再生装置がＨＤＲビデオ２を再生する能力があるか否かを判定する（Ｓ１０９）。具体的には、再生制御部１５０７は、ｉｓ＿ＨＤＲ２が「１」であり、かつ、ＳＰＲＭ（２５）が「ＨＤＲ２ビデオをデコード可」を示しているか否かを判定する。
【０１９２】
再生制御部１５０７は、プレイリスト内にＨＤＲビデオ２が存在し、かつ、再生装置がＨＤＲビデオ２を再生する能力があると判定した場合（Ｓ１０９でＹｅｓ）、再生するビデオストリームとしてＨＤＲ２ビデオを選択する（Ｓ１１３）。
【０１９３】
ステップＳ１１２およびステップＳ１１３では、ステップＳ１０８、ステップＳ１０９の順に判定が行われ、当該判定を満たしたＨＤＲビデオストリームを再生するビデオストリームとして選択しているため、再生装置の再生能力、および、表示装置の表示能力を満たすＨＤＲビデオストリームのうちで、予め定められた優先度が高いＨＤＲビデオストリームを選択している。
【０１９４】
再生制御部１５０７は、プレイリスト内にＨＤＲビデオ２が存在しない、または、再生装置がＨＤＲビデオ２を再生する能力がないと判定した場合（Ｓ１０９でＮｏ）、再生するビデオストリームとして必須のＨＤＲ映像であるＨＤＲ１ビデオを選択する（Ｓ１１４）。
【０１９５】
再生制御部１５０７は、ステップＳ１０７において、再生装置に接続されている表示装置がＨＤＲ映像を表示することができないと判定した場合（Ｓ１０７でＮｏ）、プレイリスト内にＳＤＲビデオストリームが存在するか否かを判定する（Ｓ１１０）。具体的には、再生制御部１５０７は、ｉｓ＿ＳＤＲ１が「１」であるか否かを判定する。
【０１９６】
再生制御部１５０７は、ｉｓ＿ＳＤＲ１が「１」であると判定した場合（Ｓ１１０でＹｅｓ）、再生するビデオストリームとしてＳＤＲ１ビデオを選択する（Ｓ１１５）。なお、この場合、上述と同様にｉｓ＿ＳＤＲ１が「１」であるため、主ビデオはＨＤＲ互換のＳＤＲビデオであると判定できる。
【０１９７】
再生制御部１５０７は、ｉｓ＿ＳＤＲ１が「１」でなく「０」であると判定した場合（Ｓ１１０でＮｏ）、ｉｓ＿ＳＤＲ２が「１」であるか否かを判定する（Ｓ１１１）。なお、この場合、ｉｓ＿ＳＤＲ２が「１」であるため、主ビデオはＨＤＲ互換のＳＤＲビデオであると判定できる。
【０１９８】
再生制御部１５０７は、ｉｓ＿ＳＤＲ２が「１」であると判定した場合（Ｓ１１１でＹｅｓ）、再生するビデオストリームとしてＳＤＲ２ビデオを選択する（Ｓ１１６）。
【０１９９】
再生制御部１５０７は、ｉｓ＿ＳＤＲ２が「１」でなく「０」であると判定した場合（Ｓ１１１でＮｏ）、ＳＤＲ１ビデオもＳＤＲ２ビデオも存在しないと判定する。つまり、ＳＤＲビデオが存在しないため、このときは必須のＨＤＲ１ビデオを再生するビデオストリームとして選択する。
【０２００】
＜主ビデオストリームの選択方法‐ＢＤ−Ｊ＞
図２３は、プログラム再生モードの場合の、再生する主ビデオストリームの選択（決定）方法を示すフローチャートである。
【０２０１】
プログラム再生モードは、図２２のＡＶ再生モードの場合と比較して、Ｓ１０７の判定のみが異なり、ステップＳ１０７の代わりにステップＳ２０７が行われる。ステップＳ２０７では、具体的には、再生制御部１５０７は、プレイリストに主ビデオストリームが２本以上存在する場合（Ｓ１０１で「２本以上」）に行われ、再生装置に接続される表示装置がＨＤＲ映像を表示可能であり、かつ、再生装置がグラフィックスをＳＤＲからＨＤＲに変換する変換能力があるか否かを判定する。そして、ステップＳ２０７の判定でＹｅｓの場合、ステップＳ１０８に移行し、ステップＳ２０７の判定でＮｏの場合、ステップＳ１１０に移行する。その他のステップについては、図２２のＡＶ再生モードの場合のフローチャートと同様であるので説明を省略する。
【０２０２】
＜表示装置への表示方法＞
再生装置は、図２２または図２３で示した選択方法によって選択した主ビデオストリームをデコード（再生）し、デコード（再生）されることにより得られた映像を示す再生信号を、再生装置に接続されている表示装置に向けて出力する。そして、表示装置は、再生装置により出力された主ビデオストリームの映像を表示する。
【０２０３】
図２４〜２９は、前述の選択方法で選択された主ビデオストリームが表示装置に出力されるまでの処理を示すフローチャートである。
【０２０４】
図２４は、ＳＤＲ２ビデオが選択された場合における、ＳＤＲ２ビデオを含む映像を表示装置に出力する出力方法の一例を示すフローチャートである。
【０２０５】
図２４に示すように、図２２または図２３において、ステップＳ１０６またはステップＳ１１６が行われることによりＨＤＲ非互換のＳＤＲ２ビデオが選択された場合（＊１）、再生装置は、ＳＤＲ２ビデオの再生時に表示させるべきＢＤ−Ｊグラフィックスがあるか否かを判定する（Ｓ３０１）。ＢＤ−Ｊグラフィックスとは、例えば、図１７に示すイメージプレーン１７７５に格納されるグラフィックスデータ（ＰＮＧ・ＪＰＥＧ）である。
【０２０６】
イメージプレーン１７７５に格納されるグラフィックスデータ（ＰＮＧ・ＪＰＥＧ）は、例えば、イメージプロセッサ１７７０から出力される。
【０２０７】
イメージプロセッサ１７７０は、例えば、ＢＤプログラムに対応するＪａｖａ（登録商標）プログラムを実行するプログラム実行部１５０６から転送されるグラフィックスデータ（ＰＮＧ・ＪＰＥＧ）をデコードして、プログラム実行部１５０６から指定される表示時刻にしたがって、デコードしたグラフィックスデータ（ＰＮＧ・ＪＰＥＧ）をイメージプレーン１７７５に出力する。
【０２０８】
また、ＢＤプログラムに対応するＪａｖａ（登録商標）プログラムにグラフィックスデータを生成するプログラムが含まれていてもよい。この場合、ＢＤプログラムするプログラム実行部１５０６から、生成されたグラフィックスデータがイメージプロセッサ１７７０に転送され、イメージプロセッサ１７７０は、転送されたグラフィックスデータをイメージプレーン１７７５に出力するのでもよい。
【０２０９】
再生装置は、ＳＤＲ２ビデオの再生時に表示させるべきＢＤ−Ｊグラフィックスがあると判定した場合（Ｓ３０１でＹｅｓ）、ＳＤＲ２ビデオおよびＢＤ−Ｊグラフィックスをデコードする（Ｓ３０２）。
【０２１０】
再生装置は、デコードすることにより得られた、ＳＤＲ２ビデオの映像およびＢＤ−Ｊグラフィックスの映像をＳＤＲ画質で合成（重畳）する（Ｓ３０３）。
【０２１１】
一方で、再生装置は、ＳＤＲ２ビデオの再生時に表示させるべきＢＤ−Ｊグラフィックスがないと判定した場合（Ｓ３０１でＮｏ）、ＳＤＲ２ビデオをデコードする（Ｓ３０４）。
【０２１２】
再生装置は、合成することにより得られたＳＤＲ画質の映像を示す再生信号、または、デコードすることにより得られたＳＤＲ２ビデオの映像を示す再生信号を、表示装置に出力する（Ｓ３０５）。
【０２１３】
図２５は、ＳＤＲ１ビデオが選択された場合における、ＳＤＲ１ビデオを含む映像を表示装置に出力する出力方法の一例を示すフローチャートである。
【０２１４】
図２５に示すように、図２２または図２３において、ステップＳ１０５またはステップＳ１１５が行われることによりＨＤＲ互換のＳＤＲ１ビデオが選択された場合（＊２）、再生装置は、ＳＤＲ１ビデオの再生時に表示させるべきＢＤ−Ｊグラフィックスがあるか否かを判定する（Ｓ４０１）。
【０２１５】
再生装置は、ＳＤＲ１ビデオの再生時に表示させるべきＢＤ−Ｊグラフィックスがあると判定した場合（Ｓ４０１でＹｅｓ）、ＳＤＲ１ビデオおよびＢＤ−Ｊグラフィックスをデコードする（Ｓ４０２）。
【０２１６】
再生装置は、デコードすることにより得られた、ＳＤＲ１ビデオの映像およびＢＤ−Ｊグラフィックスの映像をＳＤＲ画質で合成（重畳）する（Ｓ４０３）。
【０２１７】
再生装置は、合成することにより得られたＳＤＲ画質の映像を示す再生信号を表示装置に出力する（Ｓ４０４）。また、ステップＳ４０４において、再生装置は、後述するステップＳ４０８においてデコードすることにより得られたＳＤＲ画質の映像を示す再生信号を、表示装置に出力する。
【０２１８】
一方で、再生装置は、ＳＤＲ１ビデオの再生時に表示させるべきＢＤ−Ｊグラフィックスがないと判定した場合（Ｓ４０１でＮｏ）、表示装置がＨＤＲ表示可能であるか否かを判定する（Ｓ４０５）。具体的には、再生装置は、この場合、ＳＰＲＭ（２６）が「１」であるか否かを判定する。
【０２１９】
再生装置は、表示装置がＨＤＲ表示可能であると判定した場合（Ｓ４０５でＹｅｓ）、ＳＤＲ１ビデオはＨＤＲ互換であるため、ＳＤＲ１ビデオをＨＤＲ画質でデコードする（Ｓ４０６）。
【０２２０】
再生装置は、ステップＳ４０６においてデコードすることにより得られたＳＤＲ１ビデオの映像を示す再生信号を表示装置に出力する（Ｓ４０７）。
【０２２１】
一方で、再生装置は、表示装置がＨＤＲ表示可能でないと判定した場合（Ｓ４０５でＮｏ）、ＳＤＲ１ビデオをＳＤＲ画質でデコードする（Ｓ４０８）。
【０２２２】
図２６は、ＨＤＲ１ビデオが選択された場合における、ＨＤＲ１ビデオを含む映像を表示装置に出力する出力方法の一例を示すフローチャートである。
【０２２３】
図２６に示すように、図２２または図２３において、ステップＳ１０４が行われることによりＨＤＲ１ビデオが選択された場合（＊３）、再生装置は、ＨＤＲ１ビデオの再生時に表示させるべきＢＤ−Ｊグラフィックスがあるか否かを判定する（Ｓ５０１）。
【０２２４】
再生装置は、ＨＤＲ１ビデオの再生時に表示させるべきＢＤ−Ｊグラフィックスがあると判定した場合（Ｓ５０１でＹｅｓ）、再生装置がグラフィックスをＳＤＲからＨＤＲに変換する変換能力があるか否かを判定する（Ｓ５０２）。具体的には、再生装置は、ＳＰＲＭ（２５）が「グラフィックスをＨＤＲに変換可能」であることを示しているか否かを判定する。
【０２２５】
再生装置は、グラフィックスをＳＤＲからＨＤＲに変換する変換能力があると判定した場合（Ｓ５０２でＹｅｓ）、ＨＤＲ１ビデオおよびＢＤ−Ｊグラフィックスをデコードする（Ｓ５０３）。
【０２２６】
再生装置は、デコードすることにより得られたＢＤ−Ｊグラフィックスの映像をＨＤＲ画質に変換し、デコードすることにより得られたＨＤＲ１ビデオの映像と、ＨＤＲ画質に変換することにより得られたＢＤ−Ｊグラフィックスの映像とをＨＤＲ画質で合成（重畳）する（Ｓ５０４）。
【０２２７】
再生装置は、グラフィックスをＳＤＲからＨＤＲに変換する変換能力がないと判定した場合（Ｓ５０２でＮｏ）、グラフィックスの映像をＨＤＲ１ビデオの映像に合成することはできないため、ＨＤＲ１ビデオのみをデコードする（Ｓ５０５）。
【０２２８】
再生装置は、ＨＤＲ１ビデオの再生時に表示させるべきＢＤ−Ｊグラフィックスがないと判定した場合（Ｓ５０１でＮｏ）、ＨＤＲ１ビデオをデコードする（Ｓ５０６）。
【０２２９】
ステップＳ５０３の後、ステップＳ５０４の後、またはステップＳ５０６の後に、再生装置は、表示装置がＨＤＲ表示可能であるか否かを判定する（Ｓ５０７）。具体的には、再生装置は、この場合、ＳＰＲＭ（２６）が「１」であるか否かを判定する。
【０２３０】
再生装置は、表示装置がＨＤＲ表示可能であると判定した場合（Ｓ５０５でＹｅｓ）、（ｉ）ステップＳ５０３において合成することにより得られたＨＤＲ画質の映像、（ｉｉ）ステップＳ５０４においてデコードすることにより得られたＨＤＲ１ビデオの映像、または、（ｉｉｉ）ステップＳ５０６においてデコードすることにより得られたＨＤＲ１ビデオの映像を示す再生信号を表示装置に出力する（Ｓ５０８）。
【０２３１】
再生装置は、表示装置がＨＤＲ表示可能でないと判定した場合（Ｓ５０５でＮｏ）、再生装置は、（ｉ）ステップＳ５０３において合成することにより得られたＨＤＲ画質の映像、（ｉｉ）ステップＳ５０４においてデコードすることにより得られたＨＤＲ１ビデオの映像、または、（ｉｉｉ）ステップＳ５０６においてデコードすることにより得られたＨＤＲ１ビデオの映像をＳＤＲ画質の映像に変換し、変換することにより得られたＳＤＲ画質の映像を示す再生信号を表示装置に出力する（Ｓ５０９）。ここで、変換することにより得られたＳＤＲ画質の映像は、ＨＤＲ非互換のＳＤＲ映像である。これは、ＨＤＲからＳＤＲへの変換は、ＳＤＲの表示にしか対応しない表示装置で映像表示することが目的となるためである。要するに、ＳＤＲの表示にしか対応しない表示装置は、ＨＤＲ互換のＳＤＲの映像を表示できない可能性があるからである。
【０２３２】
図２７は、ＨＤＲ１ビデオが選択された場合における、ＨＤＲ１ビデオを含む映像を表示装置に出力する出力方法の他の一例を示すフローチャートである。図２７に示す出力方法では、ステップＳ２０７の判定において、表示装置はＨＤＲ映像を表示することができ、かつ、グラフィックスをＳＤＲからＨＤＲに変換することができると判定されているため、この判定結果を利用している。
【０２３３】
図２７に示すように、図２２または図２３において、ステップＳ１１４が行われることによりＨＤＲ１ビデオが選択された場合（＊４）、再生装置は、ＨＤＲ１ビデオの再生時に表示させるべきＢＤ−Ｊグラフィックスがあるか否かを判定する（Ｓ６０１）。
【０２３４】
再生装置は、ＨＤＲ１ビデオの再生時に表示させるべきＢＤ−Ｊグラフィックスがあると判定した場合（Ｓ６０１でＹｅｓ）、既にステップＳ２０７の判定においてＹｅｓと判定したため、ＨＤＲ１ビデオおよびＢＤ−Ｊグラフィックスをデコードする（Ｓ６０２）。
【０２３５】
再生装置は、デコードすることにより得られた、ＢＤ−Ｊグラフィックスの映像をＨＤＲ画質に変換し、デコードすることにより得られたＨＤＲ１ビデオの映像と、ＨＤＲ画質に変換することにより得られたＢＤ−Ｊグラフィックスの映像とをＨＤＲ画質で合成（重畳）する（Ｓ６０３）。
【０２３６】
一方で、再生装置は、ＨＤＲ１ビデオの再生時に表示させるべきＢＤ−Ｊグラフィックスがないと判定した場合（Ｓ６０１でＮｏ）、ＨＤＲ１ビデオをデコードする（Ｓ６０４）。
【０２３７】
再生装置は、合成することにより得られたＨＤＲ画質の映像を示す再生信号、または、デコードすることにより得られたＨＤＲ１ビデオの映像を示す再生信号を、表示装置に出力する（Ｓ６０５）。
【０２３８】
図２８は、ＨＤＲ２ビデオが選択された場合における、ＨＤＲ２ビデオを含む映像を表示装置に出力する出力方法の一例を示すフローチャートである。図２８に示す出力方法では、図２７と同様にステップＳ２０７の判定において、表示装置はＨＤＲ映像を表示することができ、かつ、グラフィックスをＳＤＲからＨＤＲに変換することができると判定されているため、この判定結果を利用している。なお、図２８のフローチャートのステップＳ７０１〜Ｓ７０５は、図２７のフローチャートのＳ６０１〜Ｓ６０５にそれぞれ対応しており、ＨＤＲ１ビデオの代えてにＨＤＲ２ビデオとすれば図２７のフローチャートと同様であるため説明を省略する。
【０２３９】
図２９は、ＨＤＲ３ビデオが選択された場合における、ＨＤＲ３ビデオを含む映像を表示装置に出力する出力方法の一例を示すフローチャートである。図２９に示す出力方法では、図２７および図２８と同様にステップＳ２０７の判定において、表示装置はＨＤＲ映像を表示することができ、かつ、グラフィックスをＳＤＲからＨＤＲに変換することができると判定されているため、この判定結果を利用している。なお、図２９のフローチャートのステップＳ８０１〜Ｓ８０５は、図２７のフローチャートのＳ６０１〜Ｓ６０５にそれぞれ対応しており、ＨＤＲ１ビデオの代えてにＨＤＲ３ビデオとすれば図２７のフローチャートと同様であるため説明を省略する。
【０２４０】
上述したように、ＨＤＲ表示できない表示装置に当該映像コンテンツを表示するには、再生装置が映像の輝度のダイナミックレンジをＨＤＲからＳＤＲに変換する能力を有しているならば、再生装置がＨＤＲ映像からＳＤＲ映像に変換して、表示装置が変換されたＳＤＲ映像を表示すればよい。または、記録媒体にＨＤＲストリームの映像コンテンツと同じＳＤＲストリームが記録されているならば、再生装置はＨＤＲストリームの替わりにＳＤＲストリームを選択して再生することによって、表示装置が再生されたＳＤＲ映像を表示すればよい。
【０２４１】
また、表示装置は、ＨＤＲ映像の表示能力を有しており、再生装置が異なる２つの方式のＨＤＲストリーム（第１のＨＤＲストリームと第２のＨＤＲストリーム）の再生能力を有する場合、記録媒体に第１のＨＤＲストリームと第２のＨＤＲストリームとが記録されているならば、再生装置は、第１のＨＤＲストリームを再生してもよいし、第２のＨＤＲストリームを再生してもよい。なお、この場合、表示装置が第１のＨＤＲストリームの映像を使って表示したほうがより高画質な映像を表示することができるとき、再生装置は第１のＨＤＲストリームを選択して再生することが望ましい。
【０２４２】
このように、再生装置は、再生装置の再生能力および表示装置の表示能力に応じて、再生可能および表示可能な映像ストリームを選択して再生する。また、再生装置は、再生可能および表示可能な映像ストリームの候補が複数存在するならば、視聴者にとって最良の映像コンテンツを選択する。
【０２４３】
以上、本実施の形態の再生装置の再生方法では、記録媒体から、１以上の映像ストリームと識別情報とを読み出し、ＨＤＲストリームを再生装置が再生できるか否かを示す再生能力情報と、ＨＤＲの映像を再生装置に接続されている表示装置が表示できるか否かを示す表示能力情報とを取得し、読み出した識別情報と、取得した再生能力情報および表示能力情報とに応じて、１以上の映像ストリームの中から再生する映像ストリームを決定し、決定した映像ストリームを再生し、再生により得られた再生信号を表示装置に出力する。
【０２４４】
これによれば、識別情報と、再生能力情報と、表示能力情報との３つの情報に応じて、再生する映像ストリームを決定しているため、適切な映像ストリームの映像を表示装置に出力できる。
【０２４５】
また、決定では、読み出した識別情報と、取得した再生能力情報および表示能力情報とに基づいて、１以上の映像ストリームの中から、再生装置で再生でき、かつ、表示装置で表示できる映像ストリームを決定する。このため、適切な映像ストリームの映像を表示装置に出力できる。
【０２４６】
また、決定では、再生装置で再生でき、かつ、表示装置で表示できる映像ストリームが２以上ある場合、当該２以上の映像ストリームのうちで、予め定められた優先度が高い映像ストリームを決定する。このため、より適切な映像ストリームの映像を表示装置に出力できる。
【０２４７】
これによれば、ＨＤＲストリームを再生可能および表示可能な場合には、ＨＤＲストリームの映像を表示装置に出力する。このため、より高画質な映像を表示装置に出力できる。
【０２４８】
これによれば、より優先度が高い第２のＨＤＲストリームとしてのＨＤＲ３ビデオを再生可能および表示可能な場合には、ＨＤＲ３ビデオの映像を表示装置に出力できる。これにより、より高画質で適切な映像を表示装置に出力できる。
【０２４９】
また、上記再生方法を行う再生装置として実現してもよい。
【０２５０】
つまり、再生装置は、読み出し部と、取得部と、決定部と、再生部と、出力部とを備える。読み出し部は、記録媒体から、１以上の映像ストリームと識別情報とを読み出す。取得部は、ＨＤＲストリームを再生装置が再生できるか否かを示す再生能力情報と、ＨＤＲの映像を再生装置に接続されている表示装置が表示できるか否かを示す表示能力情報とを取得する。決定部は、読み出した識別情報と、取得した再生能力情報および表示能力情報とに応じて、１以上の映像ストリームの中から再生する映像ストリームを決定する。再生部は、決定した映像ストリームを再生する。出力部は、再生により得られた再生信号を表示装置に出力する。
【０２５１】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０２５２】
以上、本開示の一つまたは複数の態様に係る記録媒体、再生装置および再生方法について、実施の形態に基づいて説明したが、本開示は、この実施の形態に限定されるものではない。本開示の趣旨を逸脱しない限り、当業者が思いつく各種変形を本実施の形態に施したもの、異なる実施の形態における構成要素を組み合わせて構築される形態なども、本開示の一つまたは複数の態様の範囲内に含まれてもよい。
【０２５３】
なお、上記の説明は一例に過ぎず、当該技術者にとっては、様々な応用が適用できる。
【産業上の利用可能性】
【０２５４】
本開示は高ダイナミックレンジ映像の再生技術に関し、上記のとおり、記録媒体上に記録されたビデオストリームから適切なビデオストリームを決定して出力することができる再生方法、再生装置、プログラム等として有用である。
【符号の説明】
【０２５５】
１０１  ディスク
１０２  再生装置
１０３  表示装置
１０４  リモコン
１２１  ＢＤ−ＲＯＭドライブ
１２２  ケーブル
１３１  画面
２０２  トラック
５０１  ビデオストリーム
５０２，５０５，５０８，５１１  ＰＥＳパケット列
５０３，５０６，５０９，５１２  ＴＳパケット
５０４  オーディオストリーム
５０７  プレゼンテーショングラフィックスストリーム
５１０  インタラクティブグラフィックスストリーム
５１３  ＡＶクリップ
１１０１  エントリマップヘッダ情報
１２０１  プレイアイテム
１２０２  エントリマーク
１２０３  ＡＶクリップ情報
１２０４  ＡＶクリップ
１２０５  メインパス
１３０１  クリップ情報
１３０２  再生開始時刻
１３０３  再生終了時刻
１３０５  ストリーム選択テーブル
１３０６  ストリーム選択番号
１３０７  ストリームパス情報
１３０８  ストリーム識別情報
１３０９  ストリームエントリ
１３１０  コネクションコンディション
１５００  再生装置
１５０１  ＢＤ−ＲＯＭドライブ
１５０２  リードバッファ
１５０３  システムターゲットデコーダ
１５０４  プログラムメモリ
１５０５  管理情報メモリ
１５０６  プログラム実行部
１５０７  再生制御部
１５０８  プレーヤ変数
１５０９  ユーザイベント処理部
１５１０  プレーン加算部
１７０１  ＴＢ
１７０２  ＭＢ
１７０３  ＥＢ
１７０４  圧縮映像デコーダ
１７０５  ＤＰＢ
【図１】
2020022179.tif 000003
【図２】
2020022179.tif 000004
【図３】
2020022179.tif 000005
【図４】
2020022179.tif 000006
【図５】
2020022179.tif 000007
【図６】
2020022179.tif 000008
【図７】
2020022179.tif 000009
【図８】
2020022179.tif 000010
【図９】
2020022179.tif 000011
【図１０】
2020022179.tif 000012
【図１１】
2020022179.tif 000013
【図１２】
2020022179.tif 000014
【図１３】
2020022179.tif 000015
【図１４】
2020022179.tif 000016
【図１５】
2020022179.tif 000017
【図１６】
2020022179.tif 000018
【図１７】
2020022179.tif 000019
【図１８】
2020022179.tif 000020
【図１９】
2020022179.tif 000021
【図２０】
2020022179.tif 000022
【図２１Ａ】
2020022179.tif 000023
【図２１Ｂ】
2020022179.tif 000024
【図２１Ｃ】
2020022179.tif 000025
【図２１Ｄ】
2020022179.tif 000026
【図２１Ｅ】
2020022179.tif 000027
【図２１Ｆ】
2020022179.tif 000028
【図２１Ｇ】
2020022179.tif 000029
【図２２】
2020022179.tif 000030
【図２３】
2020022179.tif 000031
【図２４】
2020022179.tif 000032
【図２５】
2020022179.tif 000033
【図２６】
2020022179.tif 000034
【図２７】
2020022179.tif 000035
【図２８】
2020022179.tif 000036
【図２９】
2020022179.tif 000037